(57)【要約】【課題】ベルトに張力を付与するテンションローラをコンパクトに配設することができる清浄装置を提供すること。【解決手段】フレーム板１００Ｌ，１００Ｒにおいて搬送ベルト１０３を挟んで対向する後長辺１００ａ，１００ｂの長手方向の同位置に形成される切欠凹部１５０ａ，１５０ｂと、搬送ベルト１０３の外面１０３ａに当接し付勢されることで該搬送ベルト１０３に所定の張力を付与するテンションローラ１０８と、テンションローラ１０８を回動可能に支持する支持体１６１と、を備え、切欠凹部１５０ａは、テンションローラ１０８が搬送ベルト１０３の外面１０３ａに当接し付勢されるときに、テンションローラ１０８または支持体１６１の少なくとも一部を配置することができる。【選択図】図８
2015047357.tif 000002
【特許請求の範囲】
【請求項１】
長板状の第１フレーム板と、該第１フレーム板に対し離れて並設される長板状の第２フレーム板と、前記第１フレーム板と前記第２フレーム板との間における長手方向の一端側と他端側それぞれに架設される２つの軸部材と、該２つの軸部材それぞれに回動可能に設けられた２つの回動ローラと、該２つの回動ローラに掛け渡された無端帯状のベルトと、該ベルトの外面に対向して配置された清浄部材と、を備え、該２つの回動ローラの少なくも一方を駆動させて前記ベルトを周回させることにより該ベルトと前記清浄部材との間に挟持された遊技球を搬送しながら清浄する清浄装置において、
前記第１フレーム板及び前記第２フレーム板において前記ベルトを挟んで対向する長辺の長手方向の同位置に形成される切欠凹部と、
前記ベルトの外面に当接し付勢されることで該ベルトに所定の張力を付与するテンションローラと、
前記テンションローラを回動可能に支持する支持体と、
を備え、
前記切欠凹部は、前記テンションローラが前記ベルトの外面に当接し付勢されるときに該テンションローラまたは前記支持体の少なくとも一部を配置可能な大きさを有する
ことを特徴とする清浄装置。
【発明の詳細な説明】
【技術分野】
【０００１】
本発明は、遊技球を搬送しながら清浄する清浄装置に関する。
【背景技術】
【０００２】
この種の清浄装置として、帯状をなし互いに対向して配置された２つのフレーム板と、該２つのフレーム板の一端側と他端側とに配置され該２つのフレーム板に両端が支持された２つの軸部材と、該２つの軸部材それぞれに回動可能に設けられた上部ローラ及び下部ローラと、該上部ローラ及び下部ローラに掛け渡された無端帯状のベルトと、該ベルトの外面に対向して配置された清浄布と、を備え、上部ローラ及び下部ローラの少なくも一方を駆動させてベルトを周回させることにより該ベルトと清浄布との間に挟持された遊技球を搬送しながら清浄するもの等があった（例えば、特許文献１参照）。
【先行技術文献】
【特許文献】
【０００３】
【特許文献１】特開２０１０−１１５３５３号公報
【発明の概要】
【発明が解決しようとする課題】
【０００４】
上記特許文献１に記載の清浄装置は、ベルトに張力を付与するためのテンションローラがベルトの外面の途中を内側へ押すために該ベルトの外側に配置されているため、装置が大きくなってしまうという問題があった。
【０００５】
本発明は、このような問題点に着目してなされたもので、ベルトに張力を付与するテンションローラをコンパクトに配設することができる清浄装置を提供することを目的とする。
【課題を解決するための手段】
【０００６】
前記課題を解決するために、本発明の請求項１に記載の清浄装置は、
長板状の第１フレーム板（例えば、フレーム板１００Ｌ）と、該第１フレーム板に対し離れて並設される長板状の第２フレーム板（例えば、フレーム板１００Ｒ）と、前記第１フレーム板と前記第２フレーム板との間における長手方向の一端側と他端側それぞれに架設される２つの軸部材（例えば、回転軸１０１ａ，１０２ａ）と、該２つの軸部材それぞれに回動可能に設けられた２つの回動ローラ（例えば、上部ローラ１０１、下部ローラ１０２）と、該２つの回動ローラに掛け渡された無端帯状のベルト（例えば、搬送ベルト１０３）と、該ベルトの外面（例えば、外面１０３ａ）に対向して配置された清浄部材（例えば、清浄布１１６）と、を備え、該２つの回動ローラの少なくも一方を駆動させて前記ベルトを周回させることにより該ベルトと前記清浄部材との間に挟持された遊技球（例えば、遊技球Ｐ）を搬送しながら清浄する清浄装置（例えば、揚送清浄装置２５）において、
前記第１フレーム板及び前記第２フレーム板において前記ベルトを挟んで対向する長辺（例えば、後長辺１００ａ，１００ｂ）の長手方向の同位置に形成される切欠凹部（例えば、切欠凹部１５０ａ，１５０ｂ）と、
前記ベルトの外面に当接し付勢されることで該ベルトに所定の張力を付与するテンションローラ（例えば、テンションローラ１０８）と、
前記テンションローラを回動可能に支持する支持体（例えば、支持体１６１）と、
を備え、
前記切欠凹部は、前記テンションローラが前記ベルトの外面に当接し付勢されるときに該テンションローラまたは前記支持体の少なくとも一部を配置可能な大きさを有する（例えば、開口幅Ｌ３はテンションローラ１０８の直径Ｌ４よりも長寸（Ｌ３＞Ｌ４）とされ、深さＬ３’はテンションローラ１０８の直径Ｌ４よりも短寸（Ｌ３’＜Ｌ４）とされている。）
ことを特徴としている。
この特徴によれば、第１フレーム板及び第２フレーム板に形成された切欠凹部が、テンションローラまたは支持体の少なくとも一部を配置可能な大きさを有することで、第１フレーム板と第２フレーム板との離間幅寸法に制限されることなく、テンションローラの少なくとも一部を第１フレーム板及び第２フレーム板の長辺より内側に配置することができるため、清浄装置をコンパクトにすることができる。
【０００７】
本発明の手段１の清浄装置は、請求項１に記載の清浄装置であって、
前記支持体（例えば、支持体１６１）は、前記第１フレーム板（例えば、フレーム板１００Ｌ）及び前記第２フレーム板（例えば、フレーム板１００Ｒ）それぞれに支持される２つの支持アーム（例えば、支持アーム１６２ａ，１６２ｂ）を有する
ことを特徴としている。
この特徴によれば、テンションローラを、第１フレーム板及び第２フレーム板それぞれに支持された２つの支持アームを介して安定して支持できる。
【０００８】
本発明の手段２の清浄装置は、手段１に記載の清浄装置であって、
前記第１フレーム板（例えば、フレーム板１００Ｌ）及び前記第２フレーム板（例えば、フレーム板１００Ｒ）は、
前記２つの支持アームを、前記テンションローラ（例えば、テンションローラ１０８）または前記支持体（例えば、支持体１６１）の少なくとも一部が前記切欠凹部（例えば、切欠凹部１５０ａ，１５０ｂ）に配置される第１位置（例えば、図１６（Ａ）に示す位置）と前記テンションローラまたは前記支持体の少なくとも一部が前記切欠凹部に配置されない第２位置（例えば、図１５（Ａ）に示す位置）との間で揺動可能に支持する軸部（例えば、軸支部１８０ａ）と、
前記２つの支持アームそれぞれに設けられた被係止部（例えば、係止溝１７１ａ，１７１ｂ）が係止される係止部（例えば、係止部１９０ａ）と、
を備え、
前記被係止部は、前記第１位置にて前記係止部に係止される（例えば、図１５（Ｂ）参照）
ことを特徴としている。
この特徴によれば、２つの支持アームを、第２位置において軸部に支持させて位置決めした状態で第１位置まで揺動（回動）することで、被係止部を係止部に容易に係止させることができるため、テンションローラまたは支持体の少なくとも一部を切欠凹部に容易に配置することができる。
【０００９】
本発明の手段３の清浄装置は、手段２に記載の清浄装置であって、
前記支持体（例えば、支持体１６１）に設けられ、前記係止部（例えば、係止部１９０ａ）と前記被係止部（例えば、係止溝１７１ａ，１７１ｂ）との係止状態を維持する維持部（例えば、ロック片１７８）を有する維持部材（例えば、ロック部材１６５）を備え、
前記維持部材は、前記維持部が前記係止部と前記被係止部との間に圧入されて係止状態を維持する維持位置（例えば、図１６（Ａ）に示す位置）と、前記維持部が前記係止部と前記被係止部との間から離脱して係止状態の維持が解除される解除位置（例えば、図１５（Ａ）に示す位置）と、の間で移動可能である
ことを特徴としている。
この特徴によれば、維持部材を支持体に対し移動させるだけで、係止部と被係止部との係止状態の維持または解除を容易に行うことができる。
【００１０】
本発明の手段４の清浄装置は、手段１〜３のいずれかに記載の清浄装置であって、
前記２つの回動ローラ（例えば、上部ローラ１０１、下部ローラ１０２）の直径（例えば、直径Ｌ７）は、前記第１フレーム板（例えば、フレーム板１００Ｌ）及び前記第２フレーム板（例えば、フレーム板１００Ｒ）の長辺に対し直交する短手幅寸法（例えば、短手幅寸法Ｌ８）よりも長寸とされ（Ｌ７＞Ｌ８）、
前記ベルトの幅寸法（例えば、左右幅寸法Ｌ２）は、前記第１フレーム板と前記第２フレーム板との離間幅寸法（例えば、離間幅寸法Ｌ１）よりも小寸とされ（Ｌ２＜Ｌ１）、
前記第１フレーム板及び前記第２フレーム板それぞれの周端面（例えば、後端面１００ｃ，１００ｄ）及び前記２つの支持アームそれぞれの対向面（例えば、支持アーム１６２ａ，１６２ｂの内面）には、前記ベルトの幅方向の両側面をガイドするガイド部（例えば、ガイドローラ１４０，１９５）が設けられている
ことを特徴としている。
この特徴によれば、ベルトが第１フレーム板及び第２フレーム板の周端面よりも外側で、かつ、第１フレーム板と第２フレーム板との間を周回することで、ガイド部を第１フレーム板及び第２フレーム板の周端面に配設することができるため、ガイド部を第１フレーム板と第２フレーム板との間に配置する場合よりも第１フレーム板と第２フレーム板との離間幅寸法を短寸とすることができるばかりか、支持アームにガイド部が設けられることで、切欠凹部の近傍位置にもガイド部を配設することが可能となる。
【００１１】
本発明の手段５の清浄装置は、手段１〜４のいずれかに記載の清浄装置であって、
前記支持体（例えば、支持体１６１）は、
前記２つの支持アーム（例えば、支持アーム１６２ａ，１６２ｂ）と、
前記テンションローラを回動可能に支持する回動支持アーム（例えば、ガイド部材１６３及び軸受部材１６４）と、を有し、
前記回動支持アームは、前記２つの支持アームに対し該支持アームの基端側に向けて鋭角に取り付けられる（例えば、図１２（Ａ）の角度θ参照）
ことを特徴としている。
この特徴によれば、支持アームに対する回動支持アームの取付強度が向上する。
【００１２】
本発明の手段６の清浄装置は、請求項１、手段１〜５のいずれかに記載の清浄装置であって、
前記清浄装置（例えば、揚送清浄装置２５）は、遊技機（例えば、パチンコ遊技機２）が設置される遊技島（例えば、遊技機設置島１）に設置され、該遊技機から排出される遊技媒体（例えば、遊技球）を回収する回収通路（例えば、回収樋１７，１７、誘導樋１９、流下溝９Ｌ，９Ｒ、接続樋１０Ｌ，１０Ｒ、合流通路１１など）にて回収された遊技球を清浄し、
前記清浄装置にて清浄される遊技球が前記回収通路に所定量以上滞留しているか否かを判定する判定手段（例えば、揚送清浄制御用コントローラ２２０が、図２１に示す揚送清浄処理におけるステップＳ１０３において近接センサ２１０Ｌ，２１０Ｒ；ｏｎになったか否かを判定する部分）と、
前記判定手段が前記所定量以上滞留していると判定したときから所定時間が経過したことに基づいて、前記清浄装置による遊技球の清浄動作を開始させるとともに、前記判定手段が前記所定量以上滞留していないと判定したことに基づいて、該清浄装置による遊技球の清浄動作を停止させる制御を行う制御手段（例えば、揚送清浄制御用コントローラ２２０が、図２１に示す揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させる。また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる部分）と、
前記判定手段が前記所定量以上滞留していないと判定したことに基づいて計時を開始する計時開始手段（例えば、揚送清浄制御用コントローラ２２０が、図２１に示す揚送清浄処理におけるステップＳ１２１において近接センサ２１０Ｌ，２１０Ｒ；ｏｆｆになったと判定したとき、ステップＳ１２５にて停止期間タイマをスタートさせて計時を開始する部分）と、
前記判定手段が前記所定量以上滞留していると判定したときに、前記計時手段により計時された時間に応じて前記所定時間を変更させる時間変更手段（例えば、揚送清浄制御用コントローラ２２０が、図２１に示す揚送清浄処理におけるステップＳ１０３において近接センサ２１０Ｌ，２１０Ｒ；ｏｎになったと判定したとき、ステップＳ１０４にて停止期間タイマの値が３１〜１２０秒の間であるときにはステップＳ１０５にて清浄開始待ちタイマに１２０秒をセットし、ステップＳ１０４にて停止期間タイマの値が３１〜１２０秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる部分）と、
を備える
ことを特徴としている。
この特徴によれば、清浄動作を停止したときから回収通路に所定量以上の遊技球が滞留するまでの時間が短い場合、つまり、稼働している遊技機が多い場合は清浄動作を早く開始させ、回収通路に所定量以上の遊技球が滞留するまでの時間が長い場合、つまり、稼働している遊技機が少ない場合は清浄動作を余裕をもって開始させるなど、遊技機の稼働状況に応じて効率よく清浄動作を行うことが可能となる。
【００１３】
本発明の手段７の清浄装置は、手段６に記載の清浄装置であって、
前記清浄装置（例えば、揚送清浄装置２５）に供給するための電力を直流電力から交流電力に変換するためのインバータ（例えば、インバータ２４０）と、
前記インバータを囲う金属製のケース（例えば、金属ボックス２４１）と、
を備える
ことを特徴としている。
この特徴によれば、インバータを使用することにより発生するノイズにより周辺機器に影響を与えることを回避できる。
【００１４】
本発明の手段８の清浄装置は、請求項１、手段１〜７のいずれかに記載の清浄装置であって、
前記清浄部材（例えば、清浄布１１６）は清浄部材固定躯体（例えば、清浄部材固定躯体３５０に固定された支持板３５３）に固定され（図１８参照）、
前記第１フレーム板（例えば、フレーム板１００Ｌ）及び前記第２フレーム板（例えば、フレーム板１００Ｒ）は、フレーム板固定躯体（例えば、清浄部材固定躯体３５０）に長手方向の一端側を中心として前記清浄部材が前記ベルト（例えば、搬送ベルト１０３）の外面（例えば、外面１０３ａ）に対向する位置（例えば、清浄位置、図１８（Ａ）参照）と前記清浄部材が前記ベルトの外面に対向しない位置（例えば、開放位置、図１８（Ｂ）参照）との間で揺動可能に設けられている
ことを特徴としている。
この特徴によれば、清浄部材を安定して支持できる。
【００１５】
本発明の手段９の清浄装置は、手段８に記載の清浄装置であって、
前記第１フレーム板（例えば、フレーム板１００Ｌ）及び前記第２フレーム板（例えば、フレーム板１００Ｒ）は、前記清浄部材（例えば、清浄布１１６）が前記ベルト（例えば、搬送ベルト１０３）の外面（例えば、外面１０３ａ）に対向する位置（例えば、清浄位置、図１８（Ａ）参照）において前記清浄部材固定躯体（例えば、清浄部材固定躯体３５０）に係止可能に設けられている
ことを特徴としている。
この特徴によれば、第１フレーム板及び第２フレーム板が清浄部材固定躯体に係止されることで、第１フレーム板及び第２フレーム板と清浄部材との位置関係に誤差が生じにくい。
【００１６】
本発明の手段１０の清浄装置は、手段８または手段９に記載の清浄装置であって、
前記フレーム板固定躯体（例えば、清浄部材固定躯体３５０）には、前記ベルト（例えば、搬送ベルト１０３）にて搬送された遊技球を誘導する誘導部材（例えば、誘導部材３５８）が設けられ、
前記第１フレーム板（例えば、フレーム板１００Ｌ）及び前記第２フレーム板（例えば、フレーム板１００Ｒ）の他端側は、前記清浄部材（例えば、清浄布１１６）が前記ベルトの外面（例えば、外面１０３ａ）に対向する位置において前記フレーム板固定躯体に係止可能に設けられている
ことを特徴としている。
この特徴によれば、第１フレーム板及び第２フレーム板を安定して支持できる。
【図面の簡単な説明】
【００１７】
【図１】本発明の実施例としての遊技島の内部構造を示す断面図である。
【図２】図１のＡ−Ａ断面図である。
【図３】図１のＢ−Ｂ断面図である。
【図４】遊技島の中央下部の内部構造を示す平面図である。
【図５】（Ａ）は揚送清浄装置を斜め前から見た斜視図、（Ｂ）は揚送清浄装置を斜め後ろから見た斜視図である。
【図６】揚送清浄装置の内部構造を示す断面図である。
【図７】図６のＣ−Ｃ断面図である。
【図８】本体の下部及びテンションユニットを示す側面図である。
【図９】本体の下部及びテンションユニットを示す背面図である。
【図１０】本体及びテンションユニットを示す底面図である。
【図１１】（Ａ）は図８のＤ−Ｄ断面図、（Ｂ）はＥ−Ｅ断面図である。
【図１２】（Ａ）は本体とテンションユニットを示す分解側面図、（Ｂ）は（Ａ）のＦ−Ｆ断面図である。
【図１３】テンションユニットの要部を示す側面図である。
【図１４】（Ａ）はロックアームの先端を示す拡大図、（Ｂ）は（Ａ）のＧ−Ｇ断面図である。
【図１５】（Ａ）（Ｂ）はテンションユニットの取り付け方法を示す説明図である。
【図１６】（Ａ）はテンションユニットの取り付け方法を示す説明図、（Ｂ）は（Ａ）のＨ−Ｈ断面図である。
【図１７】変形例としての揚送清浄装置を示す縦断面図である。
【図１８】（Ａ）は本発明の他の変形例としての清浄装置を示す断面図、（Ｂ）は本体を開放位置に移動した状態を示す断面図である。
【図１９】揚送清浄装置と流下溝との接続構造を示す概略断面図である。
【図２０】（Ａ）は揚送清浄装置の回路構成の一例を示す説明図、（Ｂ）は揚送清浄動作、（Ｃ）は清浄開始待ち時間の設定状況を示す説明図である。
【図２１】揚送清浄制御用コントローラが実行する揚送清浄処理の制御内容を示すフローチャートである。
【図２２】（Ａ）〜（Ｃ）は揚送清浄動作に伴う遊技球の回収状況の一例を示す説明図である。
【図２３】（Ｄ）〜（Ｆ）は揚送清浄動作に伴う遊技球の回収状況の一例を示す説明図である。
【図２４】（Ａ）は停止期間が１２１秒以上の場合、（Ｂ）は停止期間が３１秒〜１２０秒の場合の揚送清浄動作の開始タイミングを示すタイミングチャートである。
【図２５】停止期間が０〜３０秒の場合の揚送清浄動作の開始タイミングを示すタイミングチャートである。
【図２６】変形例としての揚送清浄制御用コントローラが実行する揚送清浄処理の制御内容を示すフローチャートである。
【発明を実施するための形態】
【００１８】
本発明の実施例を以下に説明する。
【実施例】
【００１９】
本発明が適用された遊技島について、図面に基づいて説明する。図１は、本発明が適用された遊技島の内部構造を示す断面図である。図２は、図１のＡ−Ａ断面図である。図３は、図１のＢ−Ｂ断面図である。図４は、遊技島の中央下部の内部構造を示す平面図である。尚、以下の説明において、説明の便宜上、図１の手前側を遊技島の前側、奥側を後側、左右方向を左右側として説明する。
【００２０】
図１に示されるように、遊技島１は、左右方向に向けて細長に形成されており、その前後面には、遊技機の一例であるパチンコ遊技機２及び該パチンコ遊技機２において遊技に使用する遊技球としてのパチンコ球の貸出を実施させる球貸処理機（図示略）が、長手方向（左右方向）に向けて複数列設されている。
【００２１】
遊技島１の略中央上部には、パチンコ球が貯留される上部タンク３が設けられており、この上部タンク３内に貯留されたパチンコ球は、遊技島１内の長手方向両端部に向かってそれぞれ下方に傾斜するように配設された左右の供給樋４に流入するようになっている。これら左右の供給樋４には、流下するパチンコ球を各パチンコ遊技機２に供給するための支流樋５が、供給樋４の前後（球の流下方向に向かって左右）の側板に、流下方向に向かって所定間隔おきに複数配設されており、これら支流樋５に供給されたパチンコ球は、各パチンコ遊技機２の背面に設けられた球タンク６に供給されるようになっている。
【００２２】
左右の供給樋４それぞれの下流側端部には、例えばメンテナンス時等において供給樋４内のパチンコ球を後述する流下溝９Ｌ，９Ｒ内にそれぞれ流出させる球抜き管７が設けられている。尚、通常時にはこの球抜き管７内をパチンコ球が流下しないようになっている。
【００２３】
遊技島１の内部には、パチンコ遊技機２より排出されたアウト球を受け入れて後述する流下溝９Ｌ，９Ｒに排出するアウトタンク８が、パチンコ遊技機２が載置される膳板１３の上面に、各パチンコ遊技機２に対応するように複数設けられている。尚、各アウトタンク８からは排出ノズル８ａが下方に向けて延設されており、受け入れた球をこの排出ノズル８ａを介して排出するようになっている。
【００２４】
また、上部タンク３からは、該上部タンク３内部に貯留されるパチンコ球の貯留量が所定量以上となってオーバーフローしたパチンコ球を、後述する流下溝９Ｌ，９Ｒそれぞれに導くオーバーフロー樋１２が左右に向けて延設されているとともに、これら左右のオーバーフロー樋１２の下流側端部からは、オーバーフロー管１８が垂下されている。
【００２５】
左右の流下溝９Ｌ，９Ｒは遊技球流路を構成しており、図１〜図３に示されるように、当該遊技島１の内部前後左右側にそれぞれ配置される木製の側板９ａ〜９ｄ及び底板９ｅにより、上面が開口する横長箱状にそれぞれ形成されており、遊技島１の長手方向の略中央位置に配置される揚送清浄装置２５を挟んでその左右側、つまり遊技島１の左右両側（長手方向の両側）の下部にそれぞれ配置される。
【００２６】
流下溝９Ｌ，９Ｒそれぞれにおける前後の側板９ａ，９ｂ及び底板９ｅは、遊技島１の左右方向に向けて横長に形成されている。底板９ｅは、その上面が遊技島１の長手方向の端部側から中央の揚送清浄装置２５側に向けて下方に傾斜するように配設されており、パチンコ球が流下（移動）する遊技球流路を構成している。また、この底板９ｅの上面には、該底板９ｅの上面を幅方向にわたり保護するための遊技球流路保護部材５０（以下、流路保護部材５０と略称する）が、底板９ｅの長手方向に向けて敷設されている。
【００２７】
図２及び図３に示されるように、流路保護部材５０は、底板９ｅの前後幅方向の側端部、つまりパチンコ球の流下方向に向かって左右側端部にそれぞれ配設される一対の側部樋５１，５２から構成されている。尚、底板９ｅ、側部樋５１，５２の幅方向とは、図１における前後幅方向、つまりパチンコ球の流下方向（各部材の長手方向）に向かって直交する方向である。
【００２８】
これら一対の側部樋５１，５２とは、塩化ビニル樹脂材を押し出し成形により流下溝９Ｌの底板９ｅの長手方向に向けて連続する板状にそれぞれ別個に形成されている。特に側部樋５１，５２にあっては、いわゆる２色・異材質成形により、後述する球受部５６が軟質材、板状部５４及び側壁部５５が硬質材にて一体的に形成されており、球受部５６にてアウトタンク８から排出ノズル８ａを介して排出されるパチンコ球の衝撃及び衝撃音を吸収できるようになっている。尚、流路保護部材５０の材質は上記塩化ビニル樹脂材に限定されるものではなく、該流路保護部材５０上に落下されるパチンコ球（例えばパチンコ遊技機２の球タンク６や供給樋４，オーバーフロー樋１２等から零れ落ちた球等）による衝撃により破損することなく、かつ、衝撃や衝撃音を吸収しうる性質を有するものであれば、他の合成樹脂材あるいは金属材等にて構成してもよい。また、このような流路保護部材５０は必ずしも設けられていなくてもよい。
【００２９】
側部樋５１，５２は、所定幅寸法を有する板状部５４と、該板状部５４の外側端部から上方に向けて連設される側壁部５５と、該側壁部５５の上部に内向きに突設される球受部５６と、から構成され、それぞれ球の流下方向に向かって左右対称に形成されている。つまり、これら一対の側部樋５１，５２は、押し出し成形により所定長さに形成した２つの部材を、底板９ｅの上面に互いに対向配置すればよいため、製造コストを効果的に低減できる。なお、パチンコ球が流下する流路底面５４ａを構成する板状部５４の上面は、幅方向の中央に向けて若干下方に傾斜するように形成されており、パチンコ球が外側端部に滞留することが防止されている。
【００３０】
また、遊技島１の左側端部には、遊技者が獲得したパチンコ球を計数するための計数装置１５が配設されており、この計数装置１５内に投入されたパチンコ球は、該計数装置１５に設けられている球投入口１５ａから連設された返却路１６を介して、流下溝９Ｌ内に配設された誘導樋１９に流入し、該誘導樋１９により揚送清浄装置２５側まで誘導された後、流下溝９Ｌ内に落下するようになっている。つまり、計数装置１５にて計数された計数済み球は、遊技島１の内部左側に配設された流下溝９Ｌに返却されるようになっている。
【００３１】
尚、本実施例では、遊技者が獲得したパチンコ球を計数するための計数装置１５が遊技島１の左側端部に一つ、つまり、複数のパチンコ遊技機２に対応して一の計数装置１５が配設されていたが、本発明はこれに限定されるものではなく、計数装置を各パチンコ遊技機１に対応して配設してもよい。
【００３２】
誘導樋１９は、図１及び図３に示されるように、所定の前後幅寸法を有するとともに前後幅方向に向けて略水平をなす水平面部１９ａと、該水平面部１９ａにおける前後幅方向の両端側から外方に向けて上方に傾斜するように連設される傾斜面部１９ｂ，１９ｂとが屈曲形成されてなる１枚の金属板からなり、流下溝９Ｌの内部における前後幅方向の中央所定高さ位置に、返却路１６から揚送清浄装置２５側に向けて下方に傾斜するように延設されている。尚、該誘導樋１９の上面には、ゴム製の保護シート（図示略）が敷設されており、流下するパチンコ球との当接や、遊技島１の内部上方から落下してくるパチンコ球（例えばパチンコ遊技機２の球タンク６や供給樋４，オーバーフロー樋１２等から零れ落ちた球等）による誘導樋１９の損傷が防止されている。
【００３３】
また、誘導樋１９の下流側端部は、図１に示されるように流下溝９Ｌ内部における揚送清浄装置２５側に立設された区画板２１まで延設されており、該誘導樋１９上を流下してくる計数球は、流下溝９Ｌ内部における区画板２１よりも上流側に落下されるようになっている。尚、誘導樋１９上を流下してくる計数球は、流下途中または下流側端部に設けられた幅方向を向く球受板（図示略）に衝突すること等により、該水平面部１９ａから傾斜面部１９ｂに乗り上げて該傾斜面部１９ｂの外端縁から落下するようになっている（図４参照）。
【００３４】
流下溝９Ｌ内部における区画板２１よりも上流側に落下した球は、区画板２１の下部に形成された連通口２１ａ（図１参照）を通過して区画板２１よりも下流側に形成される合流部２２内に流入した後、後述する接続樋１０Ｌ及び合流通路１１を介して揚送清浄装置２５に供給される。
【００３５】
誘導樋１９の前後幅方向の両側方には、図３に示されるように、遊技島１の前後面にそれぞれ配設された各アウトタンク８から排出されるパチンコ球を回収する回収樋１７，１７が並設されている。回収樋１７，１７は、硬質の塩化ビニル樹脂により樋状に形成されており、流下溝９Ｌの内部における誘導樋１９よりも若干上方位置に、計数装置１５側から揚送清浄装置２５側に向けて下方に傾斜するように配設されており、その下流側端部は区画板２１の上方を越えて合流部２２まで延設されている。
【００３６】
このように、各パチンコ遊技機２からアウトタンク８を介して排出されるパチンコ球は、回収樋１７，１７を流下して合流部２２内に排出されるため、誘導樋１９を流下する計数球よりも優先して揚送清浄装置２５に誘導されるようになっている。
【００３７】
すなわち、流下溝９Ｌ，９Ｒは、中央の揚送清浄装置２５から左右端部側に向けてそれぞれ並設される各パチンコ遊技機２からアウトタンク８を介して排出されるパチンコ球を長手方向にわたり受け入れることができるように構成されており、左側の流下溝９Ｌは、計数装置１５にて計数された計数済み球を長手方向にわたり受け入れることができるように構成されている。
【００３８】
左右の流下溝９Ｌ，９Ｒにおける揚送清浄装置２５側に配置される側板９ｃの下部には、揚送清浄装置２５の本体下部に形成されたパチンコ球の流入口３７（図４参照）に連通する連通口１０ａが形成されている。流下溝９Ｌ，９Ｒ内のパチンコ球は、連通口１０ａから流出した後、該連通口１０ａに接続される接続樋１０Ｌ，１０Ｒ（図４及び図８参照）をそれぞれ流下し、流入口３７に連通する合流通路１１にて合流され、流入口３７から揚送清浄装置２５の本体内部に流入する。そして、装置内部に設けられたコンベア等の揚送部材（図示略）等により上方に揚送されるとともに、揚送中において後述する清浄布１１６等の清浄部材（研磨部材とも言う）により清浄（研磨）されるようになっている。また、揚送・研磨された揚送球は、上部タンク３内上部に配置される排出口３８（図１参照）から上部タンク３内に排出されるようになっている。
【００３９】
これら遊技島１内に配設される供給樋４、支流樋５、オーバーフロー樋１２、回収樋１７，１７、オーバーフロー管１８、誘導樋１９、流下溝９Ｌ，９Ｒ、接続樋１０Ｌ，１０Ｒ、合流通路１１および揚送清浄装置２５により、遊技島１内におけるパチンコ球の循環経路が構成されており、これらのうち供給樋４、支流樋５、オーバーフロー樋１２、回収樋１７，１７、誘導樋１９、流下溝９Ｌ，９Ｒ、接続樋１０Ｌ，１０Ｒ、合流通路１１は、パチンコ球が移動（本実施例では自然流下）する遊技球流路を構成している。また、これらのうち回収樋１７，１７、誘導樋１９、流下溝９Ｌ，９Ｒ、接続樋１０Ｌ，１０Ｒ、合流通路１１は、パチンコ遊技機２から排出された遊技球を回収して揚送清浄装置２５に誘導する回収通路を構成している。
【００４０】
また、接続樋１０Ｌ，１０Ｒにはシャッタ装置２００Ｌ，２００Ｒが設けられており、流下溝９Ｌ，９Ｒから揚送清浄装置２５の流入口３７への遊技球の流入を可能または不可とすることができるようになっている（図８参照）。
【００４１】
尚、本実施例における遊技島１は、上部タンク３や流下溝９Ｌ，９Ｒ内部に貯留された遊技球のみを制御により循環して使用するいわゆる独立式の遊技島であるが、例えば遊技場内に並設される他の遊技島と上部タンク同士を適宜連結樋等により連結して、他の遊技島間で遊技球の貯留量の調整を行うことができるようにしてもよい。また、遊技者が獲得した遊技球を計数する計数装置が各パチンコ遊技機２に対応して設けられ、各遊技島内において遊技球を循環使用することが可能に構成されたユニット式の遊技島であってもよい。
【００４２】
次に、揚送清浄装置２５の詳細な構造について説明する。図５は、（Ａ）は揚送清浄装置を斜め前から見た斜視図、（Ｂ）は揚送清浄装置を斜め後ろから見た斜視図である。図６は、揚送清浄装置の内部構造を示す断面図である。図７は、図６のＣ−Ｃ断面図である。
【００４３】
揚送清浄装置２５は、図５及び図６に示されるように、床面（設置面）上にアンカー固定されるベース板１１０上に立設される上下方向に延びる本体１００と、本体１００の上部（遊技球の移送方向の下流側）に設けられた左右方向（水平方向）を向く回転軸１０１ａ周りに回動自在に設けられる上部ローラ１０１と、本体１００の下部（遊技球の移送方向の下流側）に設けられた左右方向（水平方向）を向く回転軸１０２ａ周りに回動自在に設けられる下部ローラ１０２と、これら上部ローラ１０１と下部ローラ１０２とに掛け渡される所定幅を有する無端帯状の搬送ベルト１０３と、本体１００の後面側の一側辺を中心に回動自在に設けられ、搬送ベルト１０３の上昇路に対向して配置される上下方向に延びる直線状通路１１５（図６参照）を形成する直線状通路カバー１０４と、下部ローラ１０２の下方に配置され、搬送ベルト１０３に遊技球を押圧するために該下部ローラ１０２の外周面に沿って略円弧状に形成されたアール状通路部材としてのアール状通路カバー１０５と、該下部ローラ１０２の下方におけるアール状通路カバー１０５の反対側に対向して配置され、アール状通路カバー１０５に遊技球を誘導する球導入部材としての球導入通路カバー１０６と、搬送ベルト１０３の下降路に対向して配置される背面通路カバー１２２と、から主に構成されている。
【００４４】
本体１００は、図６及び図７に示すように、長板状の第１フレーム板としてのフレーム板１００Ｌと、該フレーム板１００Ｌに対し離れて並設される長板状の第２フレーム板としてのフレーム板１００Ｒと、これら左右のフレーム板１００Ｌ，１００Ｒの間における長手方向の一端側と他端側とに架設される２つの回転軸１０１ａ，１０２ａと、左右のフレーム板１００Ｌ，１００Ｒの前側辺に沿うように回転軸１０１ａ，１０２ａの間に所定間隔おきに複数設けられ、該左右のフレーム板１００Ｌ，１００Ｒに両端が支持された複数のガイド軸１０９ａと、左右のフレーム板１００Ｌ，１００Ｒの後側辺における回転軸１０２ａの近傍位置に設けられ、該左右のフレーム板１００Ｌ，１００Ｒに両端が支持されたガイド軸１０７ａと、から構成され、これら回転軸１０１ａ，１０２ａ、ガイド軸１０９ａ、ガイド軸１０７ａにより左右一対のフレーム板１００Ｌ，１００Ｒが互いに平行をなすように離間配置された状態で一体化されている。
【００４５】
尚、左右のフレーム板１００Ｌ，１００Ｒの下端は支持部材（図示略）等によりベース板１１０に固定されている。また、フレーム板１００Ｌ，１００Ｒの後長辺１００ａ，１００ｂにおける下部ローラ１０２とガイドローラ１０７との間には、側面視略三角形状をなす切欠凹部１５０ａ，１５０ｂがそれぞれ形成されている。切欠凹部１５０ａ，１５０ｂは、フレーム板１００Ｌ，１００Ｒにおいて搬送ベルト１０３を挟んで対向する後長辺１００ａ，１００ｂの長手方向の同位置に形成されている。
【００４６】
ガイド軸１０７ａにはガイドローラ１０７が回動可能に設けられ、各ガイド軸１０９ａにはガイドローラ１０９が回動可能に設けられている。また、フレーム板１００Ｌ，１００Ｒそれぞれの後長辺１００ａ，１００ｂには、後端面１００ｃ，１００ｄそれぞれに突設された前後方向を向くガイド軸１４０ａ周りに回動可能に設けられたガイドローラ１４０が、後長辺１００ａ，１００ｂそれぞれの長手方向に向けて所定間隔おきに複数設けられている。このように、上部ローラ１０１と下部ローラ１０２とに掛け渡された搬送ベルト１０３は、複数のガイドローラ１０７，１０９により内面１０３ｂが案内されて内側への撓みが防止され、後側辺においては左右側端面が左右のガイドローラ１４０により案内されて左右方向の蛇行が防止されている（図８，図９参照）。
【００４７】
これら搬送ベルト１０３の外面１０３ａに対向して配置される上部通路カバー１１８、直線状通路カバー１０４、アール状通路カバー１０５、球導入通路カバー１０６は、上部ローラ１０１及び下部ローラ１０２の回転により周回する搬送ベルト１０３に遊技球を押圧して揚送するための通路部材を構成している。
【００４８】
尚、下部ローラ１０２は、本体下部に設けられる揚送清浄モータ８０により駆動する駆動ローラとされ、上部ローラ１０１は従動ローラとされており、図６中矢印方向（時計回り）に回転するようになっている。また、図６に示されるように、下部ローラ１０２の上方近傍位置、つまり、ガイドローラ１０７と下部ローラ１０２との間における切欠凹部１５０ａ，１５０ｂに対応する位置には、搬送ベルト１０３の張力を調整可能なテンションローラ１０８が配置されており、搬送ベルト１０３の外面１０３ａにおけるガイドローラ１０７と下部ローラ１０２との間に当接して内側に押圧付勢することにより搬送ベルト１０３に対し所定の張力を付与している。
【００４９】
直線状通路カバー１０４は、上下方向に延びる板状部材にて構成され、図５に示されるように、本体１００の後面における一側辺に、該本体１００の後面を開閉可能に枢着されており、他側辺に突設された上・中・下段の係止ピン１１２ａ〜１１２ｃに、本体１００に枢着された上・中・下段の係止部材１１１ａ〜１１１ｃが係止されることで、閉塞位置にてロックできるようになっている。
【００５０】
直線状通路カバー１０４の内面には、特に図７に示されるように、上下方向に延設される直線状通路１１５を形成するための略半球状の凹溝１１３が複数列（本実施例では７列）並設して形成された縦長の通路板１１４が、複数のコイルバネ１１７を介して搬送ベルト１０３に向けて付勢された状態で配置されており、直線状通路カバー１０４を閉塞位置に位置したときに、搬送ベルト１０３の外面１０３ａに対向配置され、これら複数の凹溝１１３により、上下方向に延びる複数列の直線状通路１１５が形成される。
【００５１】
そしてこれら各凹溝１１３にガイドされる各直線状通路１１５内の遊技球Ｐは、この通路板１１４により搬送ベルト１０３に押圧されることにより、搬送ベルト１０３の移動により通路内を上方に向けて移動して揚送されるようになっている。つまり、通路板１１４における遊技球Ｐとの対向面（内面）は、遊技球Ｐの移送面を構成している。
【００５２】
また、この通路板１１４の内面側には、各通路内を移送する遊技球Ｐに摺接することにより清浄する清浄部材としての清浄布１１６が敷設されていることで、この清浄布１１６を介して通路板１１４により遊技球Ｐが搬送ベルト１０３に向けて押圧されることで、搬送ベルト１０３の移動により、遊技球Ｐが清浄布１１６に摺接（当接）されながら移送されるため、遊技球Ｐが揚送とともに清浄（研磨）されるようになっている。つまり、本実施例における揚送清浄装置２５は、遊技球Ｐを清浄しながら揚送する。
【００５３】
この清浄布１１６は帯状をなし、直線状通路カバー１０４の通路板１１４の内面に沿って上下方向（遊技球の移送方向の上流側から下流側）に張設される。該張設された清浄布１１６の上側は、直線状通路カバー１０４の上端部（下流側折返し部）にて外側下向きに折返された後、直線状通路カバー１０４の外面上部に設けられた上部クランプ装置４００（図６参照）に挿通した状態で保持され、直線状通路カバー１０４の外面に沿って敷設される。また、清浄布１１６の下側は、直線状通路カバー１０４の下端部（上流側折返し部）にて外側上向きに折返された後、直線状通路カバー１０４の外面下部に設けられた下部クランプ装置４１０（図６参照）に挿通した状態で保持され、直線状通路カバー１０４の外面に沿って敷設される。
【００５４】
このように清浄布１１６は、直線状通路カバー１０４の上下端部にてそれぞれ外向きに折返され、直線状通路カバー１０４の外面に沿って引き出された上部を上部クランプ装置４００にて、下部を下部クランプ装置４１０にて保持する必要があるため、少なくとも直線状通路カバー１０４の上下幅寸法、つまり、直線状通路１１５において清浄布１１６が遊技球に当接可能に敷設される清浄部の長手幅寸法よりも長尺な帯布にて構成されており、遊技球との摺接面が汚れた場合、上部クランプ装置４００及び下部クランプ装置４１０による保持状態を解除し、直線状通路１１５の清浄部に配置されている清浄布１１６の使用済み部を上部または下部から引き出して、未使用部を直線状通路１１５の清浄部に配置することで交換できるようになっている。
【００５５】
尚、本実施例では、清浄布１１６は手動にて未使用部を引き出して清浄部に配置するようになっていたが、本発明はこれに限定されるものではなく、巻取りローラ等を介して自動的に未使用部が清浄部に引き出されるようにしてもよい。
【００５６】
このように直線状通路カバー１０４により形成される直線状通路１１５は、図６に示されるように、回転軸１０１ａから回転軸１０２ａにかけて本体１００の前面側、つまり搬送ベルト１０３の上昇側に形成されている。そして直線状通路１１５を上方に移送された遊技球Ｐは、本体１００の上部に設けられた上部通路カバー１１８により形成される円弧状の上部通路１１９により前面側（図５中右側）に折り返された後、該上部通路カバー１１８に連設された排出カバー１２０内を流下して、該排出カバー１２０に形成された排出口３８から排出され、上部タンク３内に貯留されるようになっている。
【００５７】
直線状通路１１５の下方、つまり上流側には、前述したアール状通路カバー１０５により形成されるアール状通路１２１が形成されており、本体１００の前面側下部に設けられた流入口３７から流入される遊技球を、上方の直線状通路１１５に向けて誘導するようになっている。
【００５８】
アール状通路１２１には、このアール状通路カバー１０５の上流側にある流入口３７に設けられる球導入通路カバー１０６により形成される球導入通路１２３を流下する遊技球Ｐが流入されるようになっている。また、流入口３７は、本体１００の下部背面側に設けられ、複数のパチンコ遊技機２から排出される遊技球を回収する回収通路の一部を構成する合流通路１１が接続されている。
【００５９】
次に、本体１００の下部及びの詳細について、図８〜図１６に基づいて説明する。図８は、本体の下部及びテンションユニットを示す側面図である。図９は、本体の下部及びテンションユニットを示す背面図である。図１０は、本体及びテンションユニットを示す底面図である。図１１は、（Ａ）は図８のＤ−Ｄ断面図、（Ｂ）はＥ−Ｅ断面図である。図１２は、（Ａ）は本体とテンションユニットを示す分解側面図、（Ｂ）は（Ａ）のＦ−Ｆ断面図である。図１３は、テンションユニットの要部を示す側面図である。図１４は、（Ａ）はロックアームの先端を示す拡大図、（Ｂ）は（Ａ）のＧ−Ｇ断面図である。図１５は、（Ａ）（Ｂ）はテンションユニットの取り付け方法を示す説明図である。図１６は、（Ａ）はテンションユニットの取り付け方法を示す説明図、（Ｂ）は（Ａ）のＨ−Ｈ断面図である。
【００６０】
図８〜図１２に示すように、本体１００は、一方のフレーム板１００Ｌと、該フレーム板１００Ｌに対し略平行をなすように離間して配置された他方のフレーム板１００Ｒと、が回転軸１０１ａ，１０２ａ、ガイド軸１０９ａ、ガイド軸１０７ａにより一体化されることで一の構造体を構成している。尚、本実施例では、フレーム板１００Ｌ，１００Ｒは回転軸１０１ａ，１０２ａ、ガイド軸１０９ａ、ガイド軸１０７ａにより一体化されているが、これら軸部材以外の連結フレームにて一体化されていてもよい。
【００６１】
図１２に示すように、切欠凹部１５０ａ，１５０ｂは、後側に開放する側面視略三角形状に形成され、少なくとも開口幅Ｌ３はテンションローラ１０８の直径Ｌ４よりも長寸（Ｌ３＞Ｌ４）とされ、深さＬ３’はテンションローラ１０８の直径Ｌ４よりも短寸（Ｌ３’＜Ｌ４）とされている。尚、深さＬ３’を、テンションローラ１０８の直径Ｌ４と同寸（Ｌ３’＝Ｌ４）または長寸（Ｌ３’＞Ｌ４）としてもよい。本実施例では、後述するように搬送ベルト１０３を押圧付勢した状態において、テンションローラ１０８の前半部、詳しくは、回動軸が後長辺１００ａ，１００ｂよりも前側に配置される程度に配置可能な深さＬ３’を有しており、左右のフレーム板１００Ｌ，１００Ｒにおいて搬送ベルト１０３を挟んで対向する後長辺１００ａ，１００ｂの長手方向の同位置に形成されている。
【００６２】
搬送ベルト１０３は、左右のフレーム板１００Ｌ，１００Ｒ同士の離間幅寸法Ｌ１よりも小寸の左右幅寸法Ｌ２を有し、フレーム板１００Ｌ，１００Ｒの周縁よりも外側を周回するように上部ローラ１０１、下部ローラ１０２、ガイドローラ１０７，１０９、テンションローラ１０８に掛け渡されている。また、テンションローラ１０８を除く上部ローラ１０１、下部ローラ１０２、ガイドローラ１０７，１０９は、無端状の搬送ベルト１０３の内側に配設されて該搬送ベルト１０３の内面に当接され、テンションローラ１０８は、無端状の搬送ベルト１０３の外側に配設されて該搬送ベルト１０３の外面１０３ａにおける下部ローラ１０２とガイドローラ１０７との間に当接し搬送ベルト１０３の外面１０３ａが内側に凹むように押圧付勢する。これにより、搬送ベルト１０３は切欠凹部１５０ａ，１５０ｂに差し掛かったところで、該切欠凹部１５０ａ，１５０ｂの縁辺に沿うように前後に移動する。
【００６３】
次に、テンションローラ１０８を含むテンションユニット１６０について説明する。テンションユニット１６０は、テンションローラ１０８と、該テンションローラ１０８を支持する支持体１６１と、から構成される。支持体１６１は、フレーム板１００Ｌ，１００Ｒそれぞれの外面に固定される左右一対の支持アーム１６２ａ，１６２ｂ及びこれら左右一対の支持アーム１６２ａ，１６２ｂの下端を連結する連結片１６２ｃにより背面視略上向きコ字形をなすアーム部材１６２と、連結片１６２ｃにネジにて取り付けられる側面視下向きコ字形をなすガイド部材１６３と、ガイド部材１６３に対し前後方向に移動可能に設けられる平面視前向きコ字形をなす軸受部材１６４と、アーム部材１６２に取り付けられ該アーム部材１６２がフレーム板１００Ｌ，１００Ｒそれぞれの外面に係止された状態を維持するためのロック部材１６５と、から主に構成される。
【００６４】
図１２（Ａ）に示すように、支持アーム１６２ａ，１６２ｂそれぞれの上端辺には、連結片１６２ｃに向けて延びる軸支溝１７０ａ，１７０ｂが形成されており、フレーム板１００Ｌ，１００Ｒの外側面に突設された軸支部材１８０に軸支可能とされている。軸支部材１８０は、図１２（Ｂ）に示すように、軸支部１８０ａと、該軸支部１８０ａの先端に形成される軸支部１８０ａよりも大径の頭部１８０ｂと、から構成されており、軸支部１８０ａに軸支溝１７０ａ，１７０ｂを挿入することで、支持アーム１６２ａ，１６２ｂを軸心方向の移動を規制した状態で揺動可能に支持できるようになっている。
【００６５】
また、支持アーム１６２ａ，１６２ｂそれぞれの前長辺の所定箇所には、後長辺に向けて延びる係止溝１７１ａ，１７１ｂが形成されており、フレーム板１００Ｌ，１００Ｒの外側面に突設された係止部材１９０に係止可能とされている。係止部材１９０は、図１２（Ｂ）に示すように、係止部１９０ａと、該係止部１９０ａの先端に形成される係止部１９０ａよりも大径の頭部１９０ｂと、から構成されており、係止部１９０ａに係止溝１７１ａ，１７１ｂを挿入することで、支持アーム１６２ａ，１６２ｂの軸心方向の移動及び揺動を規制できるようになっている。
【００６６】
尚、軸支部１８０ａの長さＬ１０は、支持アーム１６２ａ，１６２ｂの板厚より若干長寸に形成され、係止部１９０ａの長さＬ１１は、支持アーム１６２ａ，１６２ｂの板厚より長寸で、支持アーム１６２ａ，１６２ｂの板厚と後述するロック片１７８の板厚とを合算した長さよりも若干短寸とされ、後述するように、係止部１９０ａに係止溝１７１ａ，１７１ｂを係止した状態で後述するロック片１７８を圧入可能とされている。
【００６７】
係止溝１７１ａ，１７１ｂから後側に離れた位置には、ロック部材１６５を軸支するための軸孔１７２ａ，１７２ｂが形成されている。また、支持アーム１６２ａ，１６２ｂの内面における軸孔１７２ａ，１７２ｂの近傍位置には、搬送ベルト１０３の左右側面をガイドするガイドローラ１９５が上下方向を向く軸部材１９６を介して回動可能に支持されている。
【００６８】
このようにアーム部材１６２は、軸支部材１８０に軸支溝１７０ａ，１７０ｂを挿入することで、フレーム板１００Ｌ，１００Ｒに対し揺動可能に支持される。具体的には、テンションローラ１０８及び軸受部材１６４の少なくとも一部が切欠凹部１５０ａ，１５０ｂに配置される第１位置（図１５（Ｂ）参照）と、テンションローラ１０８及び軸受部材１６４の少なくとも一部が切欠凹部１５０ａ，１５０ｂに配置されない第２位置（図１５（Ａ）参照）と、の間で揺動可能に支持され、係止溝１７１ａ，１７１ｂは、第１位置において係止部材１９０の係止部１９０ａに係止される。
【００６９】
図８に示すように、上部ローラ１０１及び下部ローラ１０２の直径Ｌ７は、フレーム板１００Ｌ，１００Ｒの長辺に対し直交する短手幅寸法Ｌ８よりも長寸とされ（Ｌ７＞Ｌ８）、搬送ベルト１０３の左右幅寸法Ｌ２（図９参照）は、フレーム板１００Ｌ，１００Ｒの離間幅寸法Ｌ１（図９参照）よりも小寸とされ（Ｌ２＜Ｌ１）、フレーム板１００Ｌ，１００Ｒそれぞれの周端面の一部である後端面１００ｃ，１００ｄ及び支持アーム１６２ａ，１６２ｂの内面には、搬送ベルト１０３の左右側面をガイドするガイド部としてのガイドローラ１４０，１９５が設けられていることで、搬送ベルト１０３がフレーム板１００Ｌ，１００Ｒの後端面１００ｃ，１００ｄよりも外側で、かつ、フレーム板１００Ｌ，１００Ｒの間を周回することで、ガイドローラ１４０，１９５をフレーム板１００Ｌ，１００Ｒの後端面１００ｃ，１００ｄに配設することができるため、ガイドローラ１４０，１９５をフレーム板１００Ｌ，１００Ｒの間に配置する場合よりもフレーム板１００Ｌ，１００Ｒの離間幅寸法Ｌ１を短寸とすることができるばかりか、支持アーム１６２ａ，１６２ｂにガイドローラ１４０，１９５が設けられることで、切欠凹部１５０ａ，１５０ｂの近傍位置にもガイドローラ１９５を配設することが可能となる。
【００７０】
ロック部材１６５は、支持アーム１６２ａ，１６２ｂの外面側にそれぞれ配置される左右一対のロックアーム１７５ａ，１７５ｂと、ロックアーム１７５ａ，１７５ｂの一辺同士を連結する連結片１７５ｃと、から構成される。ロックアーム１７５ａ，１７５ｂには軸孔１７６ａ，１７６ｂが形成されており、該ロックアーム１７５ａ，１７５ｂを支持アーム１６２ａ，１６２ｂの外側に配置した状態で軸孔１７２ａ，１７２ｂと軸孔１７６ａ，１７６ｂとを合致させ、軸部材１７７ａ，１７７ｂ（図９参照）をそれぞれ外側から挿通することで、アーム部材１６２に対しロック部材１６５が軸部材１７７ａ，１７７ｂを中心として揺動可能に設けられる。
【００７１】
詳しくは、図１３に示すように、ロック部材１６５は、アーム部材１６２に対し、連結片１７５ｃの上辺が支持アーム１６２ａ，１６２ｂの後側辺に近接するロック位置（図１３中実線位置）と、連結片１７５ｃの下辺が支持アーム１６２ａ，１６２ｂの後側辺に当接するロック解除位置（図１３中２点鎖線位置）と、の間で揺動可能に軸支され、図示しないコイルバネ等により常時ロック位置側に向けて回動するように付勢されている。
【００７２】
図１３及び図１４（Ａ）に示すように、ロックアーム１７５ａ，１７５ｂの先端には、それぞれロック片１７８が形成されている。ロック片１７８は、ロック位置において係止溝１７１ａ，１７１ｂの一縁側に沿うように配置され、該係止溝１７１ａ，１７１ｂ側には係止突部１７８ａが形成されている。また、ロック片１７８は、図１４（Ｂ）に示すように、所定の板厚を有し、その外面には、係止溝１７１ａ，１７１ｂに向けて支持アーム１６２ａ，１６２ｂ側に傾斜するテーパ面１７８ｂが形成されており、板厚が係止溝１７１ａ，１７１ｂ側に向けて漸次肉薄になるように横断面略楔形に形成されている。
【００７３】
図１１に示すように、ガイド部材１６３は、テンションローラ１０８に沿うように延設される側面視略下向きコ字形をなす金属板にて構成され、上板１６３ｃが連結片１６２ｃにネジにより取り付けられている。前板１６３ａの上下位置には貫通孔３００ａ，３００ｂが形成されているとともに、後板１６３ｂにおける貫通孔３００ａ，３００ｂに対応する位置には貫通孔３０１ａ，３０１ｂが形成されている。
【００７４】
軸受部材１６４は、テンションローラ１０８に沿うように延設される後板１６４ａと、該後板１６４ａの左右側端から前側に屈曲される軸受板１６４ｂ，１６４ｃと、により側面視略前向きコ字形をなす金属板にて構成される。軸受板１６４ｂ，１６４ｃには、テンションローラ１０８の回動軸１０８ａの上下端が回動可能に支持されている。また、後板１６４ａの後面上下位置には、ガイド軸３０２ａ，３０２ｂが突設されており、これらガイド軸３０２ａ，３０２ｂがガイド部材１６３の貫通孔３００ａ，３００ｂ、３０１ａ，３０１ｂに挿通されていることにより、軸受部材１６４及びテンションローラ１０８は、ガイド部材１６３に対し前後方向に移動可能に支持されている。
【００７５】
また、図１０に示すように、後板１６４ａの下辺右位置からは支持片３０３が後側に向けて延設されており、該支持片３０３には、右側のガイド軸３０２ａに環装された固定部材３０４が支持されている。また、ガイド軸３０２ａにおける固定部材３０４と後板１６３ｂとの間には、圧縮コイルバネ３０５が、軸受部材１６４及びテンションローラ１０８をガイド部材１６３から離れる方向、つまり、搬送ベルト１０３側に向けて付勢するように環装されており、搬送ベルト１０３に対する付勢力を微調整できるようになっている。尚、ガイド軸３０２ａ，３０２ｂの先端にはストッパ３０２ｃが設けられており、ガイド軸３０２ａ，３０２ｂの貫通孔３００ａ，３００ｂ、３０１ａ，３０１ｂからの逸脱が規制されている。
【００７６】
尚、本実施例では、上下のうち一方のガイド軸３０２ａにのみテンションローラ１０８を付勢する圧縮コイルバネ３０５が環装されていたが、他方のガイド軸３０２ｂにも圧縮コイルバネ３０５を設けてもよい。また、特に圧縮コイルバネ３０５を設けなくてもよい。
【００７７】
また、図１２（Ａ）に示すように、このように構成された支持体１６１は、左右一対の支持アーム１６２ａ，１６２ｂを有するアーム部材１６２と、テンションローラ１０８を回動可能に支持する回動支持アームとしてのガイド部材１６３及び軸受部材１６４とを有し、回動支持アームとしてのガイド部材１６３及び軸受部材１６４は、左右一対の支持アーム１６２ａ，１６２ｂを有するアーム部材１６２に対し該支持アーム１６２ａ，１６２ｂの基端側（軸支溝１７０ａ，１７０ｂ側）に向けて鋭角（例えば、角度θ＝約４５度）に取り付けられていることで、アーム部材１６２に対し回動支持アームとしてのガイド部材１６３及び軸受部材１６４を鈍角に取り付ける場合よりも、テンションローラ１０８をアーム部材１６２の揺動軸心となる軸支部１８０ａに近づけて配置できるので、アーム部材１６２に対するガイド部材１６３及び軸受部材１６４の取付強度が向上する。
【００７８】
また、搬送ベルト１０３が回動すると該搬送ベルト１０３の下降路側に配置されるテンションローラ１０８には下向きの力、つまり、テンションローラ１０８がアーム部材１６２から離れる方向に力が作用するが、アーム部材１６２は、左右のフレーム板１００Ｌ，１００Ｒの外面に一端が軸支され、他端が搬送ベルト１０３の外側に配置されるように下方に向けて外側に傾斜するように配置され、該アーム部材１６２に対し回動支持アームとしてのガイド部材１６３及び軸受部材１６４が鋭角に取り付けられることで、テンションローラ１０８が搬送ベルト１０３とアーム部材１６２との間に挟まれるように配置されるため、アーム部材１６２によりテンションローラ１０８を搬送ベルト１０３に対し強く押し付けることが可能となる。さらに、テンションローラ１０８を搬送ベルト１０３の外面１０３ａに対し略直交する方向に押圧付勢することができる。
【００７９】
また、図９に示すように、テンションローラ１０８の左右幅寸法Ｌ５及び該テンションローラ１０８の左右側部を回動可能に支持する回動軸１０８ａや軸受部材１６４の左右幅寸法Ｌ６は、左右のフレーム板１００Ｌ，１００Ｒ同士の離間幅寸法Ｌ１よりも長寸とされている（Ｌ５，Ｌ６＞Ｌ１）が、フレーム板１００Ｌ，１００Ｒには、テンションローラ１０８や軸受部材１６４の少なくとも一部を配置可能な大きさを有する切欠凹部１５０ａ，１５０ｂが形成されていることで、テンションローラ１０８や軸受部材１６４の前部をフレーム板１００Ｌ，１００Ｒに接触させることなく、後長辺１００ａ，１００ｂより前側に配置することが可能となっている。
【００８０】
次に、このように構成されたテンションユニット１６０のフレーム板１００Ｌ，１００Ｒへの取り付け状況について、図１５及び図１６に基づいて説明する。
【００８１】
まず、図１５（Ａ）に示すように、左右の支持アーム１６２ａ，１６２ｂがフレーム板１００Ｌ，１００Ｒの外側面に配置し、支持アーム１６２ａ，１６２ｂをフレーム板１００Ｌ，１００Ｒの長手方向に対し略直交する姿勢で軸支溝１７０ａ，１７０ｂを軸支部材１８０の軸支部１８０ａに挿入する。尚、このときテンションローラ１０８は、圧縮コイルバネ３０５の付勢力により、ガイド部材１６３から離れた位置に配置されている。
【００８２】
次いで、図１５（Ｂ）に示すように、支持アーム１６２ａ，１６２ｂを軸支部１８０ａに支持させた第２位置から右側面視で時計回りに回動させ、テンションローラ１０８を搬送ベルト１０３の外面１０３ａに当接させた後、さらに搬送ベルト１０３の外面１０３ａを押圧するように回動させて第１位置まで移動し、係止溝１７１ａ，１７１ｂを係止部１９０ａに係止させる。尚、搬送ベルト１０３の外面１０３ａを押圧するとき、支持アーム１６２ａ，１６２ｂの上端の軸支溝１７０ａ，１７０ｂが軸支部１８０ａに軸支されていることにより、テンションユニット１６０の軸支溝１７０ａ，１７０ｂの反対側の端部を搬送ベルト１０３側に押し付けるように支持アーム１６２ａ，１６２ｂを回動させるだけで、テンションユニット１６０を搬送ベルト１０３側に強く押し付けることができるとともに、テンションローラ１０８を切欠凹部１５０ａ，１５０ｂに容易に配置することができる。尚、このときテンションローラ１０８は、圧縮コイルバネ３０５の付勢力に抗してガイド部材１６３に近づく。
【００８３】
次いで、図１６（Ａ）に示すように、支持アーム１６２ａ，１６２ｂが第１位置にあるときに、ロック部材１６５の連結片１７５ｃの下辺を押し上げるように右側面視反時計回りに回動させて、ロック部材１６５をロック解除位置からロック位置に向けて移動させる。ここで、図１６（Ｂ）に示すように、ロック部材１６５のロック片１７８のテーパ面１７８ｂ側の肉薄部が、支持アーム１６２ａ，１６２ｂの外面と頭部１８０ｂとの間に入り込む。そして、ロック部材１６５の連結片１７５ｃの下辺をさらに強く押し上げることにより、ロック片１７８のテーパ面１７８ｂ側の肉薄部が支持アーム１６２ａ，１６２ｂの外面と頭部１８０ｂとの間に挟持されることにより、支持アーム１６２ａ，１６２ｂの内面がフレーム板１００Ｌ，１００Ｒの外面に強く圧接され、その摩擦抵抗力が搬送ベルト１０３の張力より上回ることにより、支持アーム１６２ａ，１６２ｂが第２位置側へ押し戻されることが防止され、第２位置にてロック（維持）される。
【００８４】
また、ロック部材１６５により支持アーム１６２ａ，１６２ｂが第１位置に維持された状態において、搬送ベルト１０３の張力により支持アーム１６２ａ，１６２ｂを第２位置側へ押し戻す力が働くと、ロック部材１６５のロック片１７８のテーパ面１７８ｂ側の肉薄部が支持アーム１６２ａ，１６２ｂの外面と頭部１８０ｂとの間により深く入り込むため、支持アーム１６２ａ，１６２ｂを第２位置にロック（維持）する力が増大して第２位置から回動しにくくなる。
【００８５】
さらに、係止突部１７８ａが係止溝１７１ａ，１７１ｂの開口側に配置されることで、支持アーム１６２ａ，１６２ｂが搬送ベルト１０３の弾性力により第１位置から第２位置側に戻されそうになったときに係止部１９０ａが係止突部１７８ａに接触することで第１位置から第２位置側への移動が規制される。
【００８６】
このように、支持アーム１６２ａ，１６２ｂが第１位置に維持された状態において、搬送ベルト１０３の外面１０３ａにおける下部ローラ１０２とガイドローラ１０７との間がテンションローラ１０８により前側（内側）に押圧付勢され、切欠凹部１５０ａ，１５０ｂの縁辺に沿うように側面視略三角形状をなすように凹む。これにより、上部ローラ１０１と下部ローラ１０２との間に掛け渡された搬送ベルト１０３に所定の張力が付与される。
【００８７】
テンションローラ１０８は、上部ローラ１０１と下部ローラ１０２との間に掛け渡された搬送ベルト１０３の外面１０３ａにおける下降路の外側（後側）に配置され、上部ローラ１０１と下部ローラ１０２との間の直線状部の一部をフレーム板１００Ｌ，１００Ｒ側に凹ませるように押圧することにより搬送ベルト１０３に所定の張力を発生させるが、フレーム板１００Ｌ，１００Ｒに切欠凹部１５０ａ，１５０ｂが形成されていることにより、テンションローラ１０８の左右幅寸法Ｌ５及び該テンションローラ１０８の左右側部を回動可能に支持する回動軸１０８ａや軸受部材１６４の左右幅寸法Ｌ６よりも、左右のフレーム板１００Ｌ，１００Ｒ同士の離間幅寸法Ｌ１を長寸としなくても、テンションローラ１０８や回動軸１０８ａ、軸受部材１６４をフレーム板１００Ｌ，１００Ｒに接触させることなく、テンションローラ１０８や回動軸１０８ａ、軸受部材１６４の一部がフレーム板１００Ｌ，１００Ｒの後長辺１００ａ，１００ｂよりも前側に位置するように、つまり、テンションローラ１０８や回動軸１０８ａ、軸受部材１６４の一部を切欠凹部１５０ａ，１５０ｂに配置することができるため、フレーム板１００Ｌ，１００Ｒの離間幅寸法Ｌ１を極力短寸として本体１００を小型化することができる。
【００８８】
これにより、テンションユニット１６０が後側に大きく膨出することが防止されるばかりか、フレーム板１００Ｌ，１００Ｒの離間幅寸法Ｌ１を、テンションローラ１０８の左右幅寸法Ｌ５や回動軸１０８ａや軸受部材１６４の左右幅寸法Ｌ６よりも長寸にしなくて済むため、左右幅を極力コンパクト化することができるため、遊技島１の内部に広い設置スペースを確保せずとも揚送清浄装置２５を設置することが可能となる。
【００８９】
また、図１６（Ａ）に示すように、支持アーム１６２ａ，１６２ｂは、係止溝１７１ａ，１７１ｂを係止部１９０ａに係止させた第１位置に維持された状態において、フレーム板１００Ｌ，１００Ｒに対し斜めに傾斜して配置されるとともに、軸受部材１６４やガイド部材１６３からなる回動支持アームがアーム部材１６２に対し鋭角に設けられ、かつ、回動支持アームのガイド軸３０２ａ，３０２ｂが搬送ベルト１０３の外面１０３ａに対しテンションローラ１０８を略直交する方向に付勢するように配置されるため、搬送ベルト１０３を好適に付勢することができる。
【００９０】
以上説明したように、本発明の実施例としての揚送清浄装置２５にあっては、長板状の第１フレーム板としてのフレーム板１００Ｌと、該フレーム板１００Ｌに対し離れて並設される長板状の第２フレーム板としてのフレーム板１００Ｒと、フレーム板１００Ｌとフレーム板１００Ｒとの間における長手方向の一端側と他端側それぞれに架設される２つの軸部材としての回転軸１０１ａ，１０２ａと、該２つの回転軸１０１ａ，１０２ａそれぞれに回動可能に設けられた２つの回動ローラとしての上部ローラ１０１及び下部ローラ１０２と、上部ローラ１０１と下部ローラ１０２とに掛け渡された無端帯状の搬送ベルト１０３と、該搬送ベルト１０３の外面１０３ａに対向して配置された清浄部材としての清浄布１１６と、を備え、下部ローラ１０２を駆動させて搬送ベルト１０３を周回させることにより該搬送ベルト１０３と清浄布１１６との間に挟持された遊技球Ｐを搬送しながら清浄する揚送清浄装置２５において、フレーム板１００Ｌ，１００Ｒにおいて搬送ベルト１０３を挟んで対向する後長辺１００ａ，１００ｂの長手方向の同位置に形成される切欠凹部１５０ａ，１５０ｂと、搬送ベルト１０３の外面１０３ａに当接し付勢されることで該搬送ベルト１０３に所定の張力を付与するテンションローラ１０８と、テンションローラ１０８を回動可能に支持する支持体１６１と、を備え、切欠凹部１５０ａは、該テンションローラ１０８または支持体１６１の少なくとも一部を配置可能な大きさを有することで、テンションローラ１０８が搬送ベルト１０３の外面１０３ａに当接し付勢されるときにフレーム板１００Ｌ，１００Ｒとの離間幅寸法Ｌ１に制限されることなく、テンションローラ１０８の少なくとも一部をフレーム板１００Ｌ，１００Ｒの長辺１００ｃ，１００ｄより内側に配置することができるため、揚送清浄装置２５をコンパクトにすることができる。
【００９１】
また、支持体１６１は、フレーム板１００Ｌ，フレーム板１００Ｒそれぞれに支持される２つの支持アーム１６２ａ，１６２ｂを有することで、テンションローラ１０８の左右端部を、フレーム板１００Ｌ，１００Ｒそれぞれに支持された２つの支持アーム１６２ａ，１６２ｂを介して安定して支持できる。
【００９２】
尚、本実施例では、支持体１６１はフレーム板１００Ｌ，１００Ｒに係止することにより取り付けられていたが、本発明はこれに限定されるものではなく、本体１００以外の箇所に取り付けられていても良い。また、回動軸１０８ａの左右端部がそれぞれ別個のフレーム板１００Ｌ，１００Ｒに支持されていたが、左右いずれか一方のフレーム板にて支持されていても良い。
【００９３】
また、フレーム板１００Ｌ，１００Ｒは、支持アーム１６２ａ，１６２ｂを、テンションローラ１０８または支持体１６１の少なくとも一部が切欠凹部１５０ａ，１５０ｂに配置される第１位置（例えば、図１６（Ａ）に示す位置）とテンションローラ１０８または支持体１６１の少なくとも一部が切欠凹部１５０ａ，１５０ｂに配置されない第２位置（例えば、図１５（Ａ）に示す位置）との間で揺動可能に支持する軸支部１８０ａと、支持アーム１６２ａ，１６２ｂそれぞれに設けられた係止溝１７１ａ，１７１ｂが係止される係止部１９０ａと、を備え、係止溝１７１ａ，１７１ｂは、第１位置にて係止部１９０ａに係止される（例えば、図１５（Ｂ）参照）ことで、支持アーム１６２ａ，１６２ｂを、第２位置において軸支部１８０ａに支持させて位置決めした状態で第１位置まで揺動（回動）することで、係止溝１７１ａ，１７１ｂを係止部１９０ａに容易に係止させることができるため、テンションローラ１０８または支持体１６１の少なくとも一部を切欠凹部１５０ａ，１５０ｂに容易に配置することができる。
【００９４】
また、テンションローラ１０８を支持する支持体１６１を揺動（回動）可能に支持する軸支部材１８０が、搬送ベルト１０３の回動を支持する第１フレーム板１００Ｌ及び第２フレーム板１００Ｒに設けられていることで、搬送ベルト１０３に対するテンションローラ１０８の相対位置が不変となるため、例えば、後述するように本体１００が揺動（移動）可能に設けられている場合でも（図１８参照）、テンションローラ１０８を常に搬送ベルト１０３の同じ位置で押圧付勢することができる。
【００９５】
また、支持体１６１に設けられ、係止部１９０ａと係止溝１７１ａ，１７１ｂとの係止状態を維持する維持部としてのロック片１７８を有するロック部材１６５を備え、該ロック部材１６５は、ロック片１７８が係止部１９０ａと係止溝１７１ａ，１７１ｂとの間に圧入されて係止状態を維持する維持位置（例えば、図１６（Ａ）に示す位置）と、ロック片１７８が係止部１９０ａと係止溝１７１ａ，１７１ｂとの間から離脱して係止状態の維持が解除される解除位置（例えば、図１５（Ａ）に示す位置）と、の間で移動可能であることで、ロック部材１６５を支持体１６１に対し移動させるだけで、係止部１９０ａと係止溝１７１ａ，１７１ｂとの係止状態の維持または解除を容易に行うことができる。
【００９６】
尚、本実施例では、係止部１９０ａと係止溝１７１ａ，１７１ｂとの係止状態を維持する維持部としてのロック片１７８を有するロック部材１６５を備えていたが、このように係止部と被係止部との係止状態を維持する維持部材は特に設けなくてもよい。また、維持部として、係止部と被係止部とを挟持することにより係止状態を維持するものに限定されるものではなく、係止部と被係止部とに挿通されて相対移動を規制するもの等であっても良い。
【００９７】
また、上部ローラ１０１、下部ローラ１０２の直径Ｌ７は、フレーム板１００Ｌ，１００Ｒの長辺に対し直交する短手幅寸法Ｌ８よりも長寸とされ（Ｌ７＞Ｌ８）、搬送ベルト１０３の左右幅寸法Ｌ２は、フレーム板１００Ｌ，１００Ｒの離間幅寸法Ｌ１よりも小寸とされ（Ｌ２＜Ｌ１）、フレーム板１００Ｌ，１００Ｒそれぞれの後端面１００ｃ，１００ｄ及び支持アーム１６２ａ，１６２ｂの内面には、搬送ベルト１０３ａの幅方向の両側面をガイドするガイドローラ１４０，１９５が設けられていることで、搬送ベルト１０３がフレーム板１００Ｌ，１００Ｒの後端面１００ｃ，１００ｄよりも外側で、かつフレーム板１００Ｌ，１００Ｒとの間を周回することで、ガイド部をフレーム板１００Ｌ，１００Ｒの後端面１００ｃ，１００ｄに配設することができるため、ガイドローラ１４０，１９５をフレーム板１００Ｌ，１００Ｒとの間に配置する場合よりもフレーム板１００Ｌ，１００Ｒの離間幅寸法Ｌ１を短寸としてコンパクト化することができるばかりか、支持アーム１６２ａ，１６２ｂにガイドローラ１９５が設けられることで、切欠凹部１５０ａ，１５０の近傍位置にもガイドローラ１９５を配設することが可能となる。
【００９８】
支持体１６１は、支持アーム１６２ａ，１６２ｂと、テンションローラ１０８を回動可能に支持するガイド部材１６３及び軸受部材１６４と、を有し、ガイド部材１６３及び軸受部材１６４は、支持アーム１６２ａ，１６２ｂに対し該支持アーム１６２ａ，１６２ｂの基端側に向けて鋭角（例えば、約４５度）に取り付けられることで、アーム部材１６２に対し回動支持アームとしてのガイド部材１６３及び軸受部材１６４を鈍角に取り付ける場合よりも、テンションローラ１０８をアーム部材１６２の揺動軸心となる軸支部１８０ａに近づけて配置できるので、支持アーム１６２ａ，１６２ｂに対するガイド部材１６３及び軸受部材１６４の取付強度が向上する。
【００９９】
図１７は、本発明の変形例としての揚送清浄装置を示す縦断面図である。尚、本変形例において前記実施例の揚送清浄装置２５と同様に構成される部位に関しては同様の符号を付すことで詳細な説明は省略することとする。前記実施例では、テンションローラ１０８は、下部ローラ１０２の上方近傍位置に配設されていたが、テンションローラ１０８の配設位置は前記実施例に記載の位置に限定されるものではなく、例えば、図１７に示すように、搬送ベルト１０３における清浄布１１６と反対側の下降路における上部ローラ１０１の近傍位置に配設されていてもよい。
【０１００】
また、この場合、テンションローラ１０８は、搬送ベルト１０３の下降路に配設され、支持アーム１６２ａ，１６２ｂは、下端が軸支部１８０ａに軸支され、上端が斜め上方を向く姿勢で配設されている。よって、テンションローラ１０８は、上方から下方に向けて移動する搬送ベルト１０３により後方に向けて引き込まれるため、好適に搬送ベルト１０３に対し張力を付与することができる。
【０１０１】
尚、テンションローラ１０８の配設位置は、前記実施例や本変形例のように下部ローラ１０２や上部ローラ１０１の近傍位置に限らず、下部ローラ１０２と上部ローラ１０１との間の任意の位置に配設可能であり、また、搬送ベルト１０３の下降路に配設するものに限定されるものではなく、例えば、上昇路において遊技球Ｐの搬送に影響しない位置に配設してもよい。
【０１０２】
図１８は、（Ａ）は本発明の他の変形例としての清浄装置を示す断面図、（Ｂ）は本体を開放位置に移動した状態を示す断面図である。尚、本変形例において前記実施例の揚送清浄装置２５と同様に構成される部位に関しては同様の符号を付すことで詳細な説明は省略することとする。前記実施例では、清浄装置の一例として、遊技球を上方に揚送しながら清浄する揚送清浄装置２５を記載したが、本発明はこれに限定されるものではなく、遊技球を斜め上方や水平方向に移送しながら清浄する清浄装置であってもよい。つまり、遊技球を揚送しながら清浄する清浄揚送装置に限定されるものではない。
【０１０３】
図１８に示す清浄装置２５Ｂは、清浄布１１６が、清浄部材固定躯体３５０に固定された支持板３５３に設けられている。具体的には、清浄布１１６は、清浄面を右側から左側に向けて斜め上方に傾斜するように上向きに配設され、被巻取りローラ３５１に巻回された清浄布１１６が、巻取りローラ３５２が回転駆動されることにより巻き取り可能とされている。つまり、汚れた清浄布１１６を適宜巻き取って新規な清浄布１１６が引き出されるようになっている。
【０１０４】
本体１００は、清浄布１１６の上面に沿うように配置され、下部ローラ１０２の回動軸１０２ａが清浄部材固定躯体３５０の所定箇所に軸支されており、図１８（Ａ）に示すように、搬送ベルト１０３が清浄布１１６の上面に対向する清浄位置と、搬送ベルト１０３が清浄布１１６の上面に対向しない開放位置と、の間で揺動可能に設けられている。よって、清浄布１１６を安定して支持できるようになっている。また、清浄布１１６の交換作業やメンテナンス作業を行う際に、本体１００を清浄位置から開放位置に揺動させることで清浄面を簡単に露呈させることができる。
【０１０５】
また、本体１００は、清浄布１１６及び被巻取りローラ３５１や巻取りローラ３５２を支持する支持板３５３に設けられた２つの係止フック３５４に係止可能な係止部３５５が取り付けられており、清浄位置において、係止フック３５４を係止部３５５に係止することにより、清浄位置に保持されるようになっている。このように、フレーム板１００Ｌ，１００Ｒが清浄部材固定躯体３５０に係止されることで、フレーム板１００Ｌ，１００Ｒと清浄布１１６との位置関係に誤差が生じにくい。
【０１０６】
また、本体１００には、清浄部材固定躯体３５０に取り付けられた係止フック３５６に係止可能な係止部３５７が取り付けられており、清浄位置において、係止フック３５６を係止部３５７に係止することにより、清浄位置に保持されるようになっている。また、清浄部材固定躯体３５０には、搬送ベルト１０３にて搬送された遊技球Ｐを誘導する誘導部材３５８が設けられ、フレーム板１００Ｌ，１００Ｒの他端側は、清浄布１１６が搬送ベルト１０３の外面１０３ａに対向する清浄位置において、清浄部材固定躯体３５０に係止可能に設けられていることで、フレーム板１００Ｌ，１００Ｒを安定して支持できる。
【０１０７】
図１９に示すように、接続樋１０Ｌ，１０Ｒに設けられたシャッタ装置２００Ｌ，２００Ｒは、接続樋１０Ｌ，１０Ｒに対し出退可能に設けられた可動板２０１Ｌ，２０１Ｒと、該可動板２０１Ｌ，２０１Ｒを接続樋１０Ｌ，１０Ｒから上方に退避する開放位置と接続樋１０Ｌ，１０Ｒに向けて突出する閉鎖位置との間で移動させるシャッタモータ２０２Ｌ，２０２Ｒと、から構成される。つまり、シャッタ装置２００Ｌ，２００Ｒは、可動板２０１Ｌ，２０１Ｒを開放位置に移動させて遊技球の流入口３７への流下を許容する許容状態と、可動板２０１Ｌ，２０１Ｒを閉鎖位置に移動させて遊技球の流入口３７への流下を許容しない非許容状態（流下を規制する規制状態）と、に変化可能とされている。また、シャッタ装置２００Ｌ，２００Ｒは、左右の可動板２０１Ｌ，２０１Ｒが揚送清浄装置２５の流入口３７の左右方向の略中心位置からそれぞれ同じ所定距離Ｌ２０離れた箇所に配設されている。
【０１０８】
また、流下溝９Ｌ，９Ｒ内には、該流下溝９Ｌ，９Ｒ内を流下し連通口１０ａを介して流入口３７へ供給される遊技球を検出する近接センサ２１０Ｌ，２１０Ｒが設けられている。近接センサ２１０Ｌ，２１０Ｒは、可動板２０１Ｌ，２０１Ｒからそれぞれ同じ所定距離Ｌ２１離れた箇所に配設されている。本実施例では、距離Ｌ２１は距離Ｌ２０よりも長寸とされているが、距離Ｌ２１は距離Ｌ２０と同じまたは短寸とされていてもよい。
【０１０９】
本実施例では、シャッタ装置２００Ｌ，２００Ｒが非許容状態となることにより、接続樋１０Ｌ，１０Ｒにて可動板２０１Ｌ，２０１Ｒにより遊技球の流下が規制されて、接続樋１０Ｌ，１０Ｒから上流側の流下溝９Ｌ，９Ｒに向けて揚送清浄装置２５にて揚送清浄される遊技球が滞留（待機）されるようになっている。また、近接センサ２１０Ｌ，２１０Ｒにより遊技球が所定時間（例えば、１０秒）連続して検出されたときには、揚送清浄装置２５にて揚送清浄される遊技球が接続樋１０Ｌ，１０Ｒから流下溝９Ｌ，９Ｒにかけて所定量（例えば、可動板２０１Ｌ，２０１Ｒから近接センサ２１０Ｌ，２１０Ｒがある位置までに滞留される遊技球数）以上滞留しているとして、後述する揚送清浄動作の開始条件が成立する。
【０１１０】
一方、シャッタ装置２００Ｌ，２００Ｒが許容状態となることにより、接続樋１０Ｌ，１０Ｒにて可動板２０１Ｌ，２０１Ｒによる遊技球の流下規制が解除され流下可能な状態において、近接センサ２１０Ｌ，２１０Ｒにより遊技球が所定時間（例えば、１０秒）検出されなかったときには、揚送清浄装置２５にて揚送清浄される遊技球が接続樋１０Ｌ，１０Ｒから流下溝９Ｌ，９Ｒにかけて所定量（例えば、可動板２０１Ｌ，２０１Ｒから近接センサ２１０Ｌ，２１０Ｒがある位置までに滞留される遊技球数）以上滞留していないとして、後述する揚送清浄動作の停止条件が成立する。
【０１１１】
尚、以下においては、近接センサ２１０Ｌ，２１０Ｒにより遊技球が所定時間（例えば、１０秒）連続して検出されたときに近接センサ２１０Ｌ，２１０Ｒ；ｏｎと判定され、近接センサ２１０Ｌ，２１０Ｒにより遊技球が所定時間（例えば、１０秒）以上検出されなかったときに近接センサ２１０Ｌ，２１０Ｒ；ｏｆｆと判定されるものとする。また、近接センサ２１０Ｌ，２１０Ｒ；ｏｎと判定された場合、近接センサ２１０Ｌ，２１０Ｒ；ｏｆｆと判定されるまで近接センサ２１０Ｌ，２１０Ｒ；ｏｎと判定されたままとされるとともに、近接センサ２１０Ｌ，２１０Ｒ；ｏｆｆと判定された場合、近接センサ２１０Ｌ，２１０Ｒ；ｏｎと判定されるまで近接センサ２１０Ｌ，２１０Ｒ；ｏｆｆと判定されたままとされるようになっている。
【０１１２】
尚、本実施例では、揚送清浄装置２５にて揚送清浄される遊技球が接続樋１０Ｌ，１０Ｒから流下溝９Ｌ，９Ｒにかけて所定量以上滞留しているか否かを判定するための検出手段として、近接センサ２１０Ｌ，２１０Ｒが適用されているが、近接センサ以外の検出スイッチ等を適用してもよい。また、本実施例では、可動板２０１Ｌ，２０１Ｒから近接センサ２１０Ｌ，２１０Ｒの位置まで滞留可能な遊技球数を予め設定し、流下溝９Ｌ，９Ｒの所定箇所に配設した近接センサ２１０Ｌ，２１０Ｒが遊技球を検出することで、揚送清浄装置２５にて揚送清浄される遊技球が接続樋１０Ｌ，１０Ｒから流下溝９Ｌ，９Ｒにかけて所定量以上滞留しているか否かを判定するようにしているが、本発明はこれに限定されるものではなく、例えば、各パチンコ遊技機２やアウト球タンクから排出される遊技球を計数し、該計数された遊技球数に基づいて、揚送清浄装置２５にて揚送清浄される遊技球が接続樋１０Ｌ，１０Ｒから流下溝９Ｌ，９Ｒにかけて所定量以上滞留しているか否かを判定するようにしてもよいし、回収通路にかかる遊技球の重量に基づいて判定するようにしてもよい。
【０１１３】
図２０（Ａ）には、揚送清浄装置２５の回路構成の一例が示されている。揚送清浄装置２５は、揚送清浄装置２５の駆動を制御するための各種回路が搭載されている。揚送清浄基板２２１には、例えば揚送清浄装置２５の駆動を制御するための揚送清浄制御用コントローラ２２０や、遊技球検出用の近接センサ２１０Ｌ，２１０Ｒからの検出信号を取り込んで揚送清浄制御用コントローラ２２０に伝送するスイッチ回路２２３、揚送清浄制御用コントローラ２２０からのモータ駆動信号をシャッタモータ２０２Ｌ，２０２Ｒ、揚送清浄モータ８０に伝送する出力回路２２４などが搭載されている。
【０１１４】
揚送清浄制御用コントローラ２２０は、揚送清浄制御用のプログラム等を記憶するＲＯＭ（ReadOnlyMemory）２３０と、揚送清浄制御用のワークエリアを提供するＲＡＭ（RandomAccessMemory）２３１と、揚送清浄制御用のプログラムを実行して制御動作を行うＣＰＵ（CentralProcessingUnit）２３２と、Ｉ／Ｏ（Input/Outputport）２３３とを備えて構成される。
【０１１５】
揚送清浄制御用コントローラ２２０には、揚送清浄装置２５に供給するための電力を直流電力から交流電力に変換するためのインバータ２４０を介して電力が供給されている。また、インバータ２４０は、図１９に示すように、金属ボックス２４１に覆われた状態で収納されており、インバータ２４０から発生するノイズにより周辺機器に影響を与えることを回避できるようになっている。また、揚送清浄制御用コントローラ２２０は、遊技島１に設置され該遊技島１内における各種機器（例えば、計数装置１５など）に接続される島コントローラ２５０に接続されている。
【０１１６】
図２０（Ｂ）の説明図に示すように、揚送清浄制御用コントローラ２２０は、近接センサ２１０Ｌ，２１０Ｒによる遊技球の検出結果に基づいて、揚送清浄装置２５の揚送清浄モータ８０及びシャッタモータ２０２Ｌ，２０２Ｒの駆動制御を行う。具体的には、揚送清浄制御用コントローラ２２０は、揚送清浄装置２５の駆動初期状態においては、シャッタ装置２００Ｌ，２００Ｒを非許容状態とする。そして、接続樋１０Ｌ，１０Ｒから流下溝９Ｌ，９Ｒに向けて揚送清浄装置２５にて揚送清浄される遊技球が滞留し、いずれかの近接センサ２１０Ｌ，２１０Ｒ；ｏｎであると判定したとき（近接センサ２１０Ｌ，２１０Ｒ；ｏｎ）、揚送清浄装置２５にて揚送清浄される遊技球が接続樋１０Ｌ，１０Ｒから流下溝９Ｌ，９Ｒにかけて所定量以上滞留している、つまり、揚送清浄動作の開始条件が成立したとして、設定された清浄開始待ち時間（ｔａ）が経過したときに、ｏｎ判定された近接センサに対応する側のシャッタモータ２０２Ｌ，２０２Ｒにより可動板２０１Ｌ，２０１Ｒを閉鎖位置から開放位置に移動させ、シャッタ装置２００Ｌ，２００Ｒを許容状態とするとともに、揚送清浄モータ８０を駆動して、揚送清浄動作を開始する。
【０１１７】
また、揚送清浄動作を開始した後、いずれかの近接センサ２１０Ｌ，２１０Ｒ；ｏｆｆであると判定したとき（近接センサ２１０Ｌ，２１０Ｒ；ｏｆｆ）、揚送清浄装置２５にて揚送清浄される遊技球が接続樋１０Ｌ，１０Ｒから流下溝９Ｌ，９Ｒにかけて所定量以上滞留していない、つまり、揚送清浄動作の停止条件が成立したとして、ｏｆｆ判定された近接センサに対応する側のシャッタモータ２０２Ｌ，２０２Ｒにより可動板２０１Ｌ，２０１Ｒを開放位置から閉鎖位置に移動させ、シャッタ装置２００Ｌ，２００Ｒを非許容状態とした後、予め定められた清浄停止待ち時間（ｔｂ）が経過したとき、揚送清浄モータ８０の駆動を停止して、揚送清浄動作を停止する。
【０１１８】
この清浄停止待ち時間（ｔｂ）は、揚送清浄装置２５への遊技球の流入を規制したときに既に可動板２０１Ｌ，２０１Ｒを通過した全ての遊技球が揚送されるまでに要する時間を設定することが好ましい。具体的には、可動板２０１Ｌ，２０１Ｒが閉鎖位置に移動したときに揚送清浄装置２５内に残存している遊技球に加え、可動板２０１Ｌ，２０１Ｒの下流側にある遊技球、つまり、図１９に示すように、可動板２０１Ｌ，２０１Ｒから流入口３７までの距離Ｌ２０間に滞留している遊技球全てが揚送清浄装置２５内に供給され排出口３８から排出されるまでに要する時間とされる。よって、近接センサ２１０Ｌ，２１０Ｒ；ｏｆｆであると判定したとき（近接センサ２１０Ｌ，２１０Ｒ；ｏｆｆ）から清浄停止待ち時間（ｔｂ）が経過した時点で揚送清浄装置２５の揚送清浄駆動を停止することで、揚送清浄装置２５に残存する遊技球、合流通路１１、接続樋１０Ｌ，１０Ｒにある遊技球を全て揚送して、少なくとも揚送清浄装置２５内部に遊技球が残存しない状態としてから揚送清浄駆動を停止させることができる。
【０１１９】
このように揚送清浄駆動を間欠的に行う場合において、揚送駆動を停止させたときに揚送経路内に遊技球が残存しないことで、揚送清浄駆動を再開させる際に遊技球による負荷がかからない状態で揚送清浄モータ８０の駆動を開始させることができる（駆動初期時にかかる負荷を軽減できる）。また、後述する搬送ベルト１０３にも駆動開始時に大きな負荷がかからないので、搬送ベルト１０３が破損すること等を防止できる。
【０１２０】
尚、このように揚送清浄動作の停止条件が成立したときから予め定められた清浄停止待ち時間（ｔｂ）が経過したときに揚送清浄駆動を停止するのではなく、例えば揚送清浄装置２５の排出口３８に遊技球の検出センサ等を設け、揚送清浄装置２５への遊技球の流入を規制した後、前記検出センサが遊技球を検出してから所定時間内に新たな遊技球が検出されなくなったことを条件に、揚送清浄駆動を停止させるようにしてもよい。
【０１２１】
また、揚送清浄装置２５のメンテナンス作業等を実施する場合等には、特定の停止操作を行うことにより、揚送清浄装置２５の揚送駆動を手動で停止させることができるようになっているが、この場合においても、シャッタ装置２００Ｌ，２００Ｒにより揚送清浄装置２５への遊技球の流入を規制した後、所定期間が経過した時点で揚送清浄装置２５の揚送清浄駆動を停止する。
【０１２２】
また、揚送清浄制御用コントローラ２２０は、近接センサ２１０Ｌ，２１０Ｒにより遊技球が所定時間（例えば、１０秒）検出されず近接センサ２１０Ｌ，２１０Ｒ；ｏｆｆと判定したときから停止期間タイマにより計時を開始し、次回、近接センサ２１０Ｌ，２１０Ｒにより遊技球が所定時間（例えば、１０秒）連続して検出され近接センサ２１０Ｌ，２１０Ｒ；ｏｎと判定するまでの時間、つまり、揚送清浄動作が停止されている停止期間（ｔｃ）を計時する。
【０１２３】
そして、図２０（Ｃ）に示すように、揚送清浄制御用コントローラ２２０は、近接センサ２１０Ｌ，２１０Ｒ；ｏｎと判定したときに、停止期間タイマにより計時された時間（停止期間：ｔｃ）が、０〜３０秒の範囲内である場合は、後述する清浄停止待ち時間であり、可動板２０１Ｌ，２０１Ｒが閉鎖位置であるが、揚送清浄モータ８０は駆動している状態、つまり、揚送清浄動作の実行中であるため、清浄開始待ち時間（ｔａ）を設定せず（ｔａ＝０秒）、即座に遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とし、揚送清浄動作を継続する。
【０１２４】
尚、本実施例では、特に詳細な図示はしないが、揚送清浄制御用コントローラ２２０は、揚送清浄装置２５の起動処理において、清浄開始待ち時間（ｔａ）として所定時間（例えば、３０秒）を設定するようにしているため、起動後、最初に近接センサ２１０Ｌ，２１０Ｒ；ｏｎと判定したときは、清浄開始待ち時間（ｔａ）３０秒が経過したときに、近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とし、揚送清浄動作を開始する。
【０１２５】
また、停止期間（ｔｃ）が３１〜１２０秒の範囲内である場合は、清浄開始待ち時間（ｔａ）として１２０秒を設定し、近接センサ２１０Ｌ，２１０Ｒ；ｏｎと判定したときから１２０秒が経過したときに、遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とする。また、停止期間（ｔｃ）が１２１秒以上である場合は、清浄開始待ち時間（ｔａ）として１８０秒を設定し、近接センサ２１０Ｌ，２１０Ｒ；ｏｎと判定したときから１８０秒が経過したときに、遊技球を検出した近接センサに対応する側のシャッタモータ２０２Ｌ，２０２Ｒを介して可動板２０１Ｌ，２０１Ｒを閉鎖位置から開放位置に移動させ、シャッタ装置２００Ｌ，２００Ｒを許容状態とする。
【０１２６】
すなわち、本実施例では、揚送清浄動作の開始条件が成立したとき、所定の清浄開始待ち時間（ｔａ）が経過したことに基づいて揚送清浄動作を開始するが、この清浄開始待ち時間（ｔａ）が、前回の揚送清浄動作が停止してから新たな揚送清浄開始条件が成立するまでの時間に応じて変更される、つまり、停止期間に応じて異なる清浄開始待ち時間が設定される。
【０１２７】
例えば、揚送清浄動作を停止したときから回収通路に所定量以上の遊技球が滞留するまでの時間が短い場合、つまり、稼働しているパチンコ遊技機２が多い場合は、上部タンク３の貯留量が減少してパチンコ遊技機２への遊技球の供給が途絶えることがないように、清浄開始待ち時間として短い時間が設定されるので清浄動作が早く開始される。一方、揚送清浄動作を停止したときから回収通路に所定量以上の遊技球が滞留するまでの時間が長い場合、つまり、稼働しているパチンコ遊技機２が少ない場合は、上部タンク３の貯留量が減少してパチンコ遊技機２への遊技球の供給が直ちに途絶えることがなく、清浄開始待ち時間として長い時間が設定されるので、清浄動作が余裕をもって開始されるなど、パチンコ遊技機２の稼働状況に応じて効率よく清浄動作を行うことが可能となる。
【０１２８】
尚、本実施例では、停止期間（ｔｃ）が３１〜１２０秒の範囲内である場合は、清浄開始待ち時間（ｔａ）が１２０秒に変更（設定）され、停止期間（ｔｃ）が１２１秒以上である場合は、清浄開始待ち時間（ｔａ）が１８０秒に変更（設定）されるようになっているが、本発明はこれに限定されるものではなく、停止期間（ｔｃ）や該停止期間（ｔｃ）に応じて設定される清浄開始待ち時間（ｔａ）は上記以外の時間を設定するようにしてもよい。
【０１２９】
また、本実施例では、停止期間（ｔｃ）に応じて清浄開始待ち時間（ｔａ）が１２０秒または１８０秒に変更（設定）されるようになっていたが、３以上の清浄開始待ち時間（ｔａ）に変更（設定）可能としてもよい。
【０１３０】
また、本実施例では、近接センサ２１０Ｌ，２１０Ｒ；ｏｆｆと判定したことに基づいて対応するシャッタ装置２００Ｌ，２００Ｒを非許容状態に変化させるタイミングは、流入口３７からシャッタ装置２００Ｌ，２００Ｒの上流側まで遊技球が滞留している状態とされている。具体的には、近接センサ２１０Ｌ，２１０Ｒ；ｏｆｆと判定されたときに、流入口３７からシャッタ装置２００Ｌ，２００Ｒの上流側まで遊技球が滞留されているように、近接センサ２１０Ｌ，２１０Ｒは、可動板２０１Ｌ，２０１Ｒからそれぞれ同じ距離Ｌ２１だけ上流側に離れた箇所に配設されている。
【０１３１】
つまり、揚送清浄装置２５の駆動が開始された後、回収された遊技球が新たに加わることなく、流入口３７から近接センサ２１０Ｌ，２１０Ｒにかけて滞留している遊技球がシャッタ装置２００Ｌ，２００Ｒの上流側付近まで減少するのに要する時間が約１０秒以上、すなわち、近接センサ２１０Ｌ，２１０Ｒにより遊技球が検出されなくなってから近接センサ２１０Ｌ，２１０Ｒ；ｏｆｆと判定されるまでに要する時間である１０秒よりも長い時間となる距離Ｌ２１とされていればよい。このようにすることで、可動板２０１Ｌ，２０１Ｒが開放位置から閉鎖位置に移動したときに、その上流側にも遊技球が存在することになるので、回収された遊技球が直接可動板２０１Ｌ，２０１Ｒに衝突して損傷することを防止できる。
【０１３２】
次に、揚送清浄制御用コントローラ２２０が実行する揚送清浄処理について、図２１のフローチャートに基づいて説明する。図２１は、揚送清浄制御用コントローラが実行する揚送清浄処理の制御内容を示すフローチャートである。尚、揚送清浄処理は、揚送清浄装置の起動処理を行った後のタイマ割込み処理にて実行される処理である。
【０１３３】
揚送清浄制御用コントローラ２２０は、まず、揚送清浄装置２５の揚送清浄モータ８０が駆動して揚送清浄動作が実行されていることを示す清浄中フラグがＲＡＭ２３１にセットされているか否かを判定する（ステップＳ１０１）。清浄中フラグがセットされていない場合（ステップＳ１０１；Ｎｏ）、揚送清浄動作の開始条件が成立したと判定されてから揚送清浄動作を行うまでの清浄開始待ち時間（ｔａ）であることを示す清浄開始待ちフラグがセットされているか否かを判定する（ステップＳ１０２）。
【０１３４】
清浄開始待ちフラグがセットされていない場合（ステップＳ１０２；Ｎｏ）、近接センサ２１０Ｌ，２１０Ｒ；ｏｎであるか否か、つまり、近接センサ２１０Ｌ，２１０Ｒにより遊技球が所定時間である１０秒連続して検出されたか否かを判定する（ステップＳ１０３）。近接センサ２１０Ｌ，２１０Ｒ；ｏｎでない場合は、揚送清浄装置２５にて揚送清浄される遊技球が接続樋１０Ｌ，１０Ｒから流下溝９Ｌ，９Ｒにかけて所定量以上滞留していないとして、そのまま処理を終了する。また、近接センサ２１０Ｌ，２１０Ｒ；ｏｎである場合、つまり、揚送清浄装置２５にて揚送清浄される遊技球が接続樋１０Ｌ，１０Ｒから流下溝９Ｌ，９Ｒにかけて所定量以上滞留している場合は（ステップＳ１０３；Ｙｅｓ）、停止期間タイマのカウント値を確認し、該停止期間タイマの値が３１〜１２０秒の範囲の値であるか否かを判定する（ステップＳ１０４）。停止期間タイマの値が３１〜１２０秒の範囲の値である場合（ステップＳ１０４；Ｙｅｓ）、清浄開始待ちタイマに１２０秒に相当する値をセットする（ステップＳ１０５）。また、停止期間タイマの値が３１〜１２０秒の範囲の値でない場合（ステップＳ１０４；Ｎｏ）、清浄開始待ちタイマに１８０秒に相当する値をセットする（ステップＳ１０７）。そして、ステップＳ１０５またはステップＳ１０７の後、清浄開始待ちフラグをセットし（ステップＳ１０６）、終了する。尚、停止期間タイマの値が３０秒以内の場合は、後述する清浄停止待ち時間であって清浄中フラグがセットされているので、後述するステップＳ１２８〜１３０の処理が行われる。
【０１３５】
清浄開始待ちフラグがセットされている場合（ステップＳ１０２；Ｙｅｓ）、清浄開始タイマのタイマ値を１減算し（ステップＳ１０８）、清浄開始待ちタイマのタイマ値が０になったか否か、つまり、近接センサ２１０Ｌ，２１０Ｒ；ｏｆｆと判定されてから、ステップＳ１０５またはステップＳ１０７にて設定された時間が経過したか否かを判定する（ステップＳ１０９）。清浄開始待ちタイマのタイマ値が０になっていないときは（ステップＳ１０９；Ｎｏ）、清浄開始待ち時間であるとして、そのまま処理を終了する。また、清浄開始待ちタイマのタイマ値が０になっているときは（ステップＳ１０９；Ｙｅｓ）、可動板２０１Ｌ，２０１Ｒを閉鎖位置から開放位置へ移動させるとともに（ステップＳ１１０）、揚送清浄モータ８０を駆動させて揚送清浄動作を開始させる（ステップＳ１１１）。そして、清浄開始待ちフラグをクリアし（ステップＳ１１２）、清浄中フラグをセットした後（ステップＳ１１３）、処理を終了する。
【０１３６】
また、ステップＳ１０１にて清浄中フラグがセットされている場合（ステップＳ１０１；Ｙｅｓ）、揚送清浄動作の停止条件が成立したと判定されてから揚送清浄動作を停止するまでの清浄停止待ち時間（ｔｂ）であることを示す清浄停止待ちフラグがセットされているか否かを判定する（ステップＳ１２０）。清浄停止待ちフラグがセットされていない場合（ステップＳ１２０；Ｎｏ）、近接センサ２１０Ｌ，２１０Ｒ；ｏｆｆであるか否か、つまり、近接センサ２１０Ｌ，２１０Ｒにより遊技球が所定時間である１０秒検出されなかったか否かを判定し（ステップＳ１２１）、近接センサ２１０Ｌ，２１０Ｒ；ｏｆｆでない場合（ステップＳ１２１；Ｎｏ）は、そのまま処理を終了する。また、近接センサ２１０Ｌ，２１０Ｒ；ｏｆｆである場合（ステップＳ１２１；Ｙｅｓ）は、揚送清浄装置２５にて揚送清浄される遊技球が接続樋１０Ｌ，１０Ｒから流下溝９Ｌ，９Ｒにかけて所定量以上滞留していないとして、可動板２０１Ｌ，２０１Ｒを開放位置から閉鎖位置へ移動させるとともに（ステップＳ１２２）、清浄停止待ちタイマ値に清浄停止待ち時間である３０秒に相当する値をセットし（ステップＳ１２３）、清浄停止待ちフラグをセットした後（ステップＳ１２４）、停止期間タイマのタイマをスタートさせ（ステップＳ１２５）、処理を終了する。
【０１３７】
清浄停止待ちフラグがセットされている場合（ステップＳ１２０；Ｙｅｓ）、清浄停止待ちタイマのタイマ値を１減算し（ステップＳ１２６）、清浄停止待ちタイマのタイマ値が０になったか否かを判定する（ステップＳ１２７）。清浄停止待ちタイマのタイマ値が０になっていない場合（ステップＳ１２７；Ｎｏ）、近接センサ２１０Ｌ，２１０Ｒ；ｏｎであるか否か、つまり、近接センサ２１０Ｌ，２１０Ｒにより遊技球が所定時間である１０秒連続して検出されたか否かを判定し（ステップＳ１２８）、近接センサ２１０Ｌ，２１０Ｒ；ｏｎでない場合（ステップＳ１２８；Ｎｏ）は、揚送清浄装置２５にて揚送清浄される遊技球が接続樋１０Ｌ，１０Ｒから流下溝９Ｌ，９Ｒにかけて所定量以上滞留していないとして、そのまま処理を終了する。また、近接センサ２１０Ｌ，２１０Ｒ；ｏｎである場合、つまり、揚送清浄装置２５にて揚送清浄される遊技球が接続樋１０Ｌ，１０Ｒから流下溝９Ｌ，９Ｒにかけて所定量以上滞留している場合は（ステップＳ１２８；Ｙｅｓ）、清浄停止待ち時間中であることから、停止期間タイマの値は０〜３０秒の範囲内であるため、清浄開始待ちタイマに所定時間を設定することなく、可動板２０１Ｌ，２０１Ｒを閉鎖位置から開放位置へ移動させるとともに（ステップＳ１２９）、清浄停止待ちフラグをクリアして（ステップＳ１３０）、処理を終了する。つまりこの場合、揚送清浄動作は継続して実行される。
【０１３８】
また、清浄停止待ちタイマのタイマ値が０になった場合（ステップＳ１２７；Ｙｅｓ）、揚送清浄モータ８０の駆動を停止して（ステップＳ１３１）、揚送停止待ちフラグ及び清浄中フラグをクリアし（ステップＳ１３２）、処理を終了する。
【０１３９】
次に、図２２及び図２３に基づいて、揚送清浄動作に伴う遊技球の回収状況の一例を説明する。尚、ここでは揚送清浄装置２５、右側のシャッタ装置２００Ｒ、近接センサ２１０Ｒの動作状況について説明し、左側のシャッタ装置２００Ｌ、近接センサ２１０Ｌの動作状況は同一であるため説明は省略する。
【０１４０】
図２２（Ａ）に示すように、シャッタ装置２００Ｒを非許容状態とされている場合において、各パチンコ遊技機２から排出された遊技球は、流下溝９Ｒ内に落下し、該流下溝９Ｒから接続樋１０Ｒに向けて流下して回収されていく。そして、接続樋１０Ｒにおいて、閉鎖位置にある可動板２０１Ｒにより流下が規制されることで、揚送清浄装置２５により揚送清浄される遊技球が、接続樋１０Ｒの可動板２０１Ｒから流下溝９Ｒに向けて滞留（待機）されていく。
【０１４１】
そして図２２（Ｂ）に示すように、パチンコ遊技機２から新たに排出された遊技球が滞留している遊技球群の最後尾に次々と滞留していく。そして、滞留している遊技球群の最後尾が近接センサ２１０Ｒ付近に到達し、近接センサ２１０Ｒにより遊技球が所定時間である１０秒連続して検出されたと判定されると（近接センサ２１０Ｒ；ｏｎ）、揚送清浄装置２５にて揚送清浄される遊技球が接続樋１０Ｒから流下溝９Ｒにかけて所定量以上滞留しているとして、近接センサ２１０Ｒ；ｏｎと判定された時点から所定の清浄開始待ち時間（ｔａ）が経過したときに、可動板２０１Ｒが閉鎖位置から開放位置に移動されるとともに、揚送清浄モータ８０が駆動されて揚送清浄動作が開始される。これにより、該可動板２０１Ｒにて規制され滞留していた遊技球が流入口３７に誘導され、揚送清浄装置２５の内部に流入されていく（図２２（Ｃ）参照）。
【０１４２】
また、揚送清浄動作が行われることで、図２３（Ｄ）に示すように、流入口３７から合流通路１１、接続樋１０Ｒを介して流下溝９Ｒに向けて滞留している遊技球が揚送清浄装置２５に取り込まれて減少していく一方で、各パチンコ遊技機２から排出され回収される遊技球があれば、流入口３７から合流通路１１、接続樋１０Ｒを介して流下溝９Ｒに向けて遊技球が滞留している状況が継続する。そして、各パチンコ遊技機２から排出され回収される遊技球数より揚送清浄装置２５に取り込まれる遊技球数が上回ると、滞留している遊技球は減少していく。尚、揚送清浄装置２５に取り込まれる遊技球数が各パチンコ遊技機２から排出され回収される遊技球数より上回ると、滞留している遊技球は維持または増加する。
【０１４３】
そして、滞留している遊技球が減少し、滞留している遊技球群の最後尾が近接センサ２１０Ｒから離れていくと、近接センサ２１０Ｌ，２１０Ｒにより遊技球が所定時間である１０秒検出されなくなると、揚送清浄装置２５にて揚送清浄される遊技球が接続樋１０Ｌ，１０Ｒから流下溝９Ｌ，９Ｒにかけて所定量以上滞留していないとして、図２３（Ｅ）に示すように、可動板２０１Ｒが開放位置から閉鎖位置に移動される。
【０１４４】
尚、前述したように、シャッタ装置２００Ｒの上流側に遊技球がある状態で可動板２０１Ｒが開放位置から閉鎖位置に移動されるように距離Ｌ２１が設定されていることで、可動板２０１Ｒが開放位置から閉鎖位置に移動したときに上流側に遊技球がいない状況となることがないので、接続樋１０Ｒを流下する遊技球が可動板２０１Ｒに直接衝突することが防止されている。
【０１４５】
そして、近接センサ２１０Ｒ；ｏｆｆと判定され可動板２０１Ｒが開放位置から閉鎖位置に移動されてから、清浄停止待ち時間である３０秒が経過するまでに近接センサ２１０Ｒが新たにｏｎとならなければ、揚送清浄モータ８０の駆動が停止される。この後、図２２（Ａ）の状態に戻ることになる。
【０１４６】
次に、図２４及び図２５に基づいて、揚送清浄動作の開始、停止状況の一例を説明する。図２４は、（Ａ）は停止期間が１２１秒以上の場合、（Ｂ）は停止期間が３０秒〜１２０秒の場合の揚送清浄動作の開始タイミングを示すタイミングチャートである。図２５は、停止期間が０〜３０秒の場合の揚送清浄動作の開始タイミングを示すタイミングチャートである。
【０１４７】
図２４（Ａ）に示すように、例えば、近接センサ２１０Ｒ；ｏｎと判定された場合、その時点から清浄開始待ちタイマによるカウントが開始され、清浄開始待ち時間（ｔａ１）として３０秒が設定されている場合、該３０秒が経過した時点で、可動板２０１Ｒが閉鎖位置から開放位置へ移動するとともに、揚送清浄モータ８０が駆動されて揚送清浄動作が開始される。
【０１４８】
そして、揚送清浄動作中において近接センサ２１０Ｒ；ｏｆｆと判定された場合、清浄停止待ちタイマによるカウントが開始されるとともに、停止期間タイマによるカウント（計時）が開始される。そして、清浄停止待ち時間（ｔｂ）である３０秒が経過した時点で、揚送清浄モータ８０の駆動が停止され、揚送清浄動作が終了する。
【０１４９】
次いで、近接センサ２１０Ｒ；ｏｆｆと判定された後、近接センサ２１０Ｒ；ｏｎと判定されたとき、その時点での停止期間タイマの値が１２１秒以上である場合、つまり、前回の近接センサ２１０Ｒ；ｏｆｆと判定されたときから１２１秒以上の時間が経過している場合、清浄開始待ち時間（ｔａ２）として１８０秒が設定される。よって、近接センサ２１０Ｒ；ｏｎと判定されたときから１８０秒が経過した時点で、可動板２０１Ｒが閉鎖位置から開放位置へ移動するとともに、揚送清浄モータ８０が駆動されて揚送清浄動作が開始される。
【０１５０】
また、図２４（Ｂ）に示すように、揚送清浄動作中において近接センサ２１０Ｒ；ｏｆｆと判定された後、再度近接センサ２１０Ｒ；ｏｎと判定されたとき、その時点での停止期間タイマの値が３１秒〜１２０秒の間である場合、つまり、前回の近接センサ２１０Ｒ；ｏｆｆと判定されたときから３１秒〜１２０秒以内の時間が経過していた場合、清浄開始待ち時間（ｔａ３）として１２０秒が設定される。よって、近接センサ２１０Ｒ；ｏｎと判定されたときから１２０秒が経過した時点で、可動板２０１Ｒが閉鎖位置から開放位置へ移動するとともに、揚送清浄モータ８０が駆動されて揚送清浄動作が開始される。
【０１５１】
また、図２５（Ａ）に示すように、右側の近接センサ２１０Ｒ；ｏｎと判定されたことに基づいて揚送清浄動作が実行されている場合において、例えば遊技島１の左側のパチンコ遊技機２から回収される遊技球が増加して、左側の近接センサ２１０Ｌ；ｏｎと判定されたとき、その時点での停止期間タイマの値が３０秒以内である場合、つまり、前回の近接センサ２１０Ｒ；ｏｆｆと判定されたときから３０秒以内の時間が経過していた場合は、右側の近接センサ２１０Ｒ；ｏｆｆと判定されたことに基づく清浄停止待ち時間内であって、右側の可動板２０１Ｒは閉鎖位置にあるが揚送清浄モータ８０による揚送清浄動作が実行中であるため、清浄開始待ち時間（ｔａ４）は設定されず、左側の可動板２０１Ｌが閉鎖位置から開放位置へ移動するとともに、揚送清浄モータ８０による揚送清浄動作は継続される。
【０１５２】
このように、清浄停止待ち時間内において近接センサ２１０Ｌ，２１０Ｒ；ｏｎと判定された場合、つまり、停止期間タイマの値が３０秒以内の時間である場合、閉鎖位置にある可動板２０１Ｌ，２０１Ｒを直ちに開放位置に移動して揚送清浄動作を継続するようになっていることで、揚送清浄動作を停止した後に直ちに開始するといった無駄な制御を行わずに済むとともに、遊技球を速やかに上部タンク３に揚送することができるので、パチンコ遊技機２への遊技球の供給が途絶えることを回避できる。
【０１５３】
尚、本実施例では、上記のように、清浄停止待ち時間内において近接センサ２１０Ｌ，２１０Ｒ；ｏｎと判定された場合、つまり、停止期間タイマの値が３０秒以内の時間である場合、閉鎖位置にある可動板２０１Ｌ，２０１Ｒを直ちに開放位置に移動して揚送清浄動作を継続するようになっているが、清浄開始待ち時間として所定時間（例えば、６０秒など）を設定し、一旦、揚送清浄動作を停止した後、清浄開始待ち時間が経過してから揚送清浄動作を新たに開始するようにしてもよい。
【０１５４】
以上説明したように、本発明の実施例としての遊技島１にあっては、複数設置されたパチンコ遊技機２から排出される遊技球を回収する回収通路としての回収樋１７，１７、誘導樋１９、流下溝９Ｌ，９Ｒ、接続樋１０Ｌ，１０Ｒ、合流通路１１と、これら回収通路にて回収された遊技球を清浄する揚送清浄装置２５と、を備え、揚送清浄制御用コントローラ２２０は、図２１に示す揚送清浄処理におけるステップＳ１０３において近接センサ２１０Ｌ，２１０Ｒ；ｏｎになったか否か、つまり、揚送清浄装置２５にて揚送清浄される遊技球が接続樋１０Ｌ，１０Ｒから流下溝９Ｌ，９Ｒにかけて所定量以上滞留しているか否かを判定し、図２１に示す揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させ、また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる。また、揚送清浄制御用コントローラ２２０は、図２１に示す揚送清浄処理におけるステップＳ１２１において近接センサ２１０Ｌ，２１０Ｒ；ｏｆｆになったと判定したとき、ステップＳ１２５にて停止期間タイマをスタートさせて計時を開始させ、図２１に示す揚送清浄処理におけるステップＳ１０３において近接センサ２１０Ｌ，２１０Ｒ；ｏｎになったと判定したとき、ステップＳ１０４にて停止期間タイマの値が３１〜１２０秒の間であるときにはステップＳ１０５にて清浄開始待ちタイマに１２０秒をセットし、ステップＳ１０４にて停止期間タイマの値が３１〜１２０秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる。
【０１５５】
このようにすることで、回収通路に所定量以上の遊技球が滞留していると判定したときに揚送清浄動作を開始させ、回収通路に所定量以上の遊技球が滞留していないと判定したときに揚送清浄動作を停止させる、つまり、揚送清浄装置２５を間欠駆動できるため、無駄な揚送清浄動作、例えば、揚送清浄する遊技球が少ないにもかかわらず揚送清浄動作を実行してしまうこと等が防止される。
【０１５６】
また、揚送清浄動作を停止したときから回収通路に所定量以上の遊技球が滞留するまでの時間が短い場合、つまり、稼働しているパチンコ遊技機２が多い場合は揚送清浄動作を早く開始させ、回収通路に所定量以上の遊技球が滞留するまでの時間が長い場合、つまり、稼働しているパチンコ遊技機２が少ない場合は余裕をもって揚送清浄動作を開始させるなど、パチンコ遊技機２の稼働状況に応じて効率よく揚送清浄動作を行うことが可能となる。
【０１５７】
また、本実施例では、流下溝９Ｌ，９Ｒ、接続樋１０Ｌ，１０Ｒ、合流通路１１に滞留している遊技球を検出する検出手段としての近接センサ２１０Ｌ，２１０Ｒと、揚送清浄装置２５と近接センサ２１０Ｌ，２１０Ｒとの間に設けられ、該揚送清浄装置２５への遊技球の流入を許容する許容状態と許容しない非許容状態とに変化可能な可動手段としてのシャッタ装置２００Ｌ，２００Ｒと、を備え、揚送清浄制御用コントローラ２２０は、図２１に示す揚送清浄処理におけるステップＳ１０３において近接センサ２１０Ｌ，２１０Ｒ；ｏｎになったか否かを判定し、また、ステップＳ１２１において近接センサ２１０Ｌ，２１０Ｒ；ｏｆｆになったと判定したとき、ステップＳ１２２にてシャッタ装置２００Ｌ，２００Ｒを非許容状態に変化させ、ステップＳ１２３にて清浄停止待ちタイマに３０秒に相当する値をセットし、その後、ステップＳ１２７にて清浄停止待ちタイマの値が０になったと判定したときに、ステップＳ１３１にて揚送清浄モータ８０を停止させる。
【０１５８】
このようにすることで、揚送清浄装置２５内に遊技球が残存する状態で揚送清浄動作が停止することが防止できるとともに、シャッタ装置２００Ｌ，２００Ｒが非許容状態にあるときに遊技球が直接シャッタ装置２００Ｌ，２００Ｒの可動板２０１Ｌ，２０１Ｒに衝突することを防止できる。
【０１５９】
また、本実施例では、揚送清浄装置２５に供給するための電力を直流電力から交流電力に変換するためのインバータ２４０と、インバータ２４０を囲う金属製の金属ボックス２４１と、を備えることで、インバータ２４０を使用することにより発生するノイズにより周辺機器（例えば、揚送清浄制御用コントローラ２２０や近接センサ２１０Ｌ，２１０Ｒ、パチンコ遊技機２の各種電子機器等）に影響を与えることを回避できる。
【０１６０】
尚、本実施例では、本発明の清浄装置の一例として、遊技島１の下部に回収された遊技球を、遊技島１の上部の上部タンク３に揚送しつつ清浄する揚送清浄装置２５が適用されていたが、本発明はこれに限定されるものではなく、遊技球を遊技島１の上部に揚送せずに清浄機能のみを有する清浄装置に適用してもよい。具体的には、例えば、揚送装置とは別個に、遊技島１の内部に配設された遊技球流路の一部に本発明が適用された清浄装置を配設すればよい。さらに、清浄装置は、遊技島１に配設されるものに限定されるものではなく、遊技島１以外の箇所で単独で使用されるものでもよい。
【０１６１】
また、本実施例では、近接センサ２１０Ｌ，２１０Ｒ；ｏｆｆと判定されたとき、所定の清浄停止待ち時間が経過してから揚送清浄モータ８０の駆動を停止するようになっていたが、本発明はこれに限定されるものではなく、近接センサ２１０Ｌ，２１０Ｒ；ｏｆｆと判定されたとき、所定の清浄停止待ち時間の経過を待つことなく、直ちに揚送清浄モータ８０の駆動が停止されるようにしてもよい。
【０１６２】
また、本実施例では、近接センサ２１０Ｌ，２１０Ｒ；ｏｎと判定されたことに基づいて揚送清浄動作が開始された後、近接センサ２１０Ｌ，２１０Ｒ；ｏｆｆと判定されたことに基づいて揚送清浄動作の停止条件が成立するようになっているが、本発明はこれに限定されるものではなく、揚送清浄動作が開始されてから所定時間経過後に揚送清浄動作の停止条件が成立するようにしてもよい。
【０１６３】
また、本実施例では、図２１に示す揚送清浄処理において、ステップＳ１２１にて近接センサ２１０Ｌ，２１０Ｒ；ｏｆｆと判定されたことに基づいて、ステップＳ１２５にて停止期間タイマによる計時を開始するようになっていたが、本発明はこれに限定されるものではなく、ステップＳ１２１にて近接センサ２１０Ｌ，２１０Ｒ；ｏｆｆと判定された場合、ステップＳ１２２〜１２４の処理のみを実行し、ステップＳ１３１にて揚送清浄モータ８０の駆動を停止したことに基づいて、停止期間タイマによる計時を開始するようにしてもよい。
【０１６４】
図２６には、本発明の変形例としての揚送清浄処理の一例が示されている。
【０１６５】
前記実施例では、図２１に示す揚送清浄処理において、ステップＳ１２１にて近接センサ２１０Ｌ，２１０Ｒ；ｏｆｆと判定されたことに基づいて、ステップＳ１２５にて停止期間タイマによる計時を開始するようになっていたが、本発明はこれに限定されるものではなく、図２６に示すように、ステップＳ１０３にて近接センサ２１０Ｌ，２１０Ｒ；ｏｎと判定された場合、ステップＳ１０４〜１０７の処理を実行した後、ステップＳ１０６ａにおいて、清浄開始待ち時間設定用タイマをリセットし、該清浄開始待ち時間設定用タイマによる計時を開始するようにしてもよい。また、この場合、ステップＳ１０４ａにおいて、清浄開始待ち時間設定用タイマのタイマ値が２００〜３００秒であるか否かを判定するようにすればよい。
【０１６６】
このようにした場合、ステップＳ１０３にて近接センサ２１０Ｌ，２１０Ｒ；ｏｎと判定されたことに基づいて、ステップＳ１１１にて揚送清浄動作を開始するとともに、当該揚送清浄動作が停止された後、次回、ステップＳ１０３にて近接センサ２１０Ｌ，２１０Ｒ；ｏｎと判定されたときに、前回近接センサ２１０Ｌ，２１０Ｒ；ｏｎと判定されたときから今回近接センサ２１０Ｌ，２１０Ｒ；ｏｎと判定されるまでの時間に応じて、ステップＳ１０５またはステップＳ１０７にて清浄開始待ち時間が設定（変更）される。
【０１６７】
すなわち、本発明は、前記実施例のように、近接センサ２１０Ｌ，２１０Ｒ；ｏｆｆと判定されたときから次に近接センサ２１０Ｌ，２１０Ｒ；ｏｎと判定されるまでの時間、つまり、揚送清浄動作が停止されている時間に応じて清浄開始待ち時間を設定（変更）するものに限定されるものではなく、本変形例のように、近接センサ２１０Ｌ，２１０Ｒ；ｏｎと判定されてから次に近接センサ２１０Ｌ，２１０Ｒ；ｏｎと判定されるまでの時間、つまり、前回揚送清浄動作が実行された期間とその後に揚送清浄動作が停止されていた期間とを合算した期間に応じて清浄開始待ち時間を設定（変更）するようにしてもよい。
【０１６８】
また、本変形例の場合においても、ステップＳ１０３にて近接センサ２１０Ｌ，２１０Ｒ；ｏｎと判定されたときに、ステップＳ１０６ａにて清浄開始待ち時間設定用タイマによる計時を新たに開始するものに限定されるものではなく、ステップＳ１０３にて近接センサ２１０Ｌ，２１０Ｒ；ｏｎと判定され、ステップＳ１１１にて揚送清浄モータ８０の駆動を開始したことに基づいて、清浄開始待ち時間設定用タイマによる計時を開始するようにしてもよい。
【０１６９】
また、本実施例では、接続樋１０Ｌ，１０Ｒにシャッタ装置２００Ｌ，２００Ｒが設けられていたが、本発明はこれに限定されるものではなく、流下溝９Ｌ，９Ｒ等、他の回収通路に配設されていてもよいし、特にこのようなシャッタ装置２００Ｌ，２００Ｒは設けられていなくてもよい。また、本実施例のシャッタ装置２００Ｌ，２００Ｒのように、シャッタ装置は各接続樋１０Ｌ，１０Ｒに対応して２箇所に配設されるものに限定されず、合流通路１１における流入口３７の手前に１つのみ配設されていてもよい。
【０１７０】
以上、本発明の実施例を図面により説明してきたが、具体的な構成はこれら実施例に限られるものではなく、本発明の要旨を逸脱しない範囲における変更や追加があっても本発明に含まれる。
【０１７１】
例えば、前記実施例の揚送清浄装置２５は、本体１００の上下に設けられた上部ローラ１０１と下部ローラ１０２とに掛け渡され、上部ローラ１０１及び下部ローラ１０２の回転により周回する搬送ベルト１０３と、下部ローラ１０２を駆動させる揚送清浄モータ８０と、を備え、揚送清浄モータ８０を駆動して下部ローラ１０２を回転させて搬送ベルト１０３を回転させることにより遊技球を揚送する揚送清浄装置２５が適用されていたが、例えば、揚送清浄モータ８０を駆動して上部ローラ１０１を回転させて搬送ベルト１０３を回転させるものでもよい。
【０１７２】
また、前記実施例では、遊技島１は、パチンコ遊技機２を設置可能な遊技島であったが、本発明はこれに限定されるものではなく、遊技機から排出される遊技球を回収可能な回収通路が必要な第１遊技機としての通常のパチンコ遊技機（前記実施例に記載のパチンコ遊技機２）だけでなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される封入式パチンコ遊技機（図示略）や、遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシン（図示略）と、を含む複数種類の遊技機を設置可能としてもよい。
【０１７３】
特に図示しないが、例えば、所定の間隔を隔てて立設される複数の支持体と、該複数の支持体間における該支持体の下端より上方の上方位置に架設される長板状の設置板と、前記設置板の下方に該設置板の長手方向に沿って配設される腰板とを備え、該設置板の長手方向に沿って遊技機が設置される遊技島において、前記設置板は、前記遊技機にて遊技を行う遊技者側から見て前記腰板の奥側に配設される該遊技機に関連する関連設備が必要な第１遊技機と、前記関連設備が不要な第２遊技機と、を含む複数種類の遊技機を設置可能であり、前記設置板に前記第１遊技機が設置されるときの態様であって前記腰板により前記設置板の下方における前記複数の支持体間に遊技者側空間が形成されない第１態様と、前記設置板に前記第２遊技機が設置されるときの態様であって前記設置板の下方における前記複数の支持体間の少なくとも下部に遊技者側空間が形成される第２態様と、のいずれかに変更可能としてもよい。
【０１７４】
このように、前記実施例に記載のパチンコ遊技機２は、遊技機から排出される遊技球を回収可能な回収通路や揚送装置等の遊技機に関連して設置される関連設備が必要な遊技機であったが、例えば、遊技島１に設置する遊技機を上記封入式パチンコ遊技機（図示略）やスロットマシンのように関連設備が不要な遊技機に変更する場合、揚送清浄装置２５は不要となり、該揚送清浄装置２５を設置しておくためのスペースを有効に利用できなくなる。よって、前述したように本体１００が極力コンパクト化されることで、関連設備が不要な遊技機を設置する場合において清浄装置が邪魔になることを極力回避できる。
【符号の説明】
【０１７５】
１        遊技島
２        パチンコ遊技機
２５      揚送清浄装置
１００    本体
１００Ｌ，１００Ｒ    フレーム板
１０１    上部ローラ
１０２    下部ローラ
１０３    搬送ベルト
１０８    テンションローラ
１１６    清浄布
１６１    支持体
１６２    アーム部材
１６３    ガイド部材
１６４    軸受部材
１６５    ロック部材
１８０    軸支部材
１９０    係止部材
【図１】
2015047357.tif 000003
【図２】
2015047357.tif 000004
【図３】
2015047357.tif 000005
【図４】
2015047357.tif 000006
【図５】
2015047357.tif 000007
【図６】
2015047357.tif 000008
【図７】
2015047357.tif 000009
【図８】
2015047357.tif 000010
【図９】
2015047357.tif 000011
【図１０】
2015047357.tif 000012
【図１１】
2015047357.tif 000013
【図１２】
2015047357.tif 000014
【図１３】
2015047357.tif 000015
【図１４】
2015047357.tif 000016
【図１５】
2015047357.tif 000017
【図１６】
2015047357.tif 000018
【図１７】
2015047357.tif 000019
【図１８】
2015047357.tif 000020
【図１９】
2015047357.tif 000021
【図２０】
2015047357.tif 000022
【図２１】
2015047357.tif 000023
【図２２】
2015047357.tif 000024
【図２３】
2015047357.tif 000025
【図２４】
2015047357.tif 000026
【図２５】
2015047357.tif 000027
【図２６】
2015047357.tif 000028